(57)【要約】【課題】節水化の要請により洗浄水量が低減された場合であっても、汚物を押し流す搬送流の水量を増加させることができ、汚物を搬送する搬送性能を向上させることができる水洗大便器を提供する。【解決手段】本発明の水洗大便器は、ボウル部４と、排水トラップ管路８と、を備えた便器本体２と、排水トラップ管路と連通した排水管路１６とを有し、排水管路が、上流側排水管路部２４と、上流側排水管路部の下流側に設けられる分流部２６と、分流部の下流側に設けられる下流側排水管路部３０と、分流部から分岐された遅延流路２８とを備え、分流部は、排水トラップ管路から供給される流速の低い洗浄水を自身に沿わせて遅延流路に導くガイド部３２を備え、遅延流路２８は、分流部のガイド部３２によって流入された洗浄水を、流入されたときよりも後に分流部に到達する洗浄水の流れに合流させる。【選択図】図１Ａ
2018048541.tif 000002
【特許請求の範囲】
【請求項１】
洗浄水により洗浄され汚物を排出する水洗大便器であって、
汚物を受けるボウル部と、このボウル部の下部から延びる排水トラップ管路と、を備えた便器本体と、
上記排水トラップ管路と連通し且つ前記汚物を下流側の建物配管に排出させる排水管路とを有し、
上記排水管路が、
上記排水トラップ管路の下流側と連通する上流側排水管路部と、
上記上流側排水管路部の下流側に設けられる分流部と、
上記分流部の下流側に設けられる下流側排水管路部と、
上記分流部から分岐された遅延流路とを備え、
上記分流部は、上記排水トラップ管路から供給される流速の低い洗浄水を自身に沿わせて上記遅延流路に導く一方で上記排水トラップ管路から供給される流速の高い洗浄水を上記遅延流路に向けて沿わせないように上記下流側排水管路部に導くガイド部を備え、
上記遅延流路は、上記分流部の上記ガイド部によって流入された洗浄水を、流入されたときよりも後に上記分流部に到達する洗浄水の流れに合流させる、水洗大便器。
【請求項２】
上記排水トラップ管路は、上記ボウル部の下部と接続する入口管路と、上記入口管路から斜め上方に延びる上昇管路と、上記上昇管路から下降する下降管路とを備え、
上記排水管路の上記分流部は、上下方向に延びる縦流路部を備え、
上記分流部の上記ガイド部は、上記縦流路部から上記排水トラップ管路の上記上昇管路側に形成されると共に、上記分流部の上記縦流路部と上記遅延流路との間に形成されている請求項１記載の水洗大便器。
【請求項３】
上記分流部のガイド部は、斜め下方に延び且つ鉛直線に対して鋭角の角度を形成する請求項２に記載の水洗大便器。
【請求項４】
上記分流部の上記ガイド部は、上記縦流路部を形成する側壁のうち上記排水トラップ管路の上記上昇管路側に形成され、且つその上記上昇管路と反対側の側壁側に切欠部を形成する請求項２又は３に記載の水洗大便器。
【請求項５】
上記分流部の上記ガイド部と上記縦流路部を形成する上記側壁との接続部分は湾曲面を形成している請求項２乃至４の何れか１項に記載の水洗大便器。
【請求項６】
上記遅延流路の底面は、上記分流部の上記ガイド部の下方且つ上記ガイド部に対向している位置まで、上記分流部内に突出するように形成される請求項２乃至５の何れか１項に記載の水洗大便器。
【請求項７】
上記遅延流路の上記底面の端部が、上面視において、上記縦流路部より外側に位置している請求項６に記載の水洗大便器。
【請求項８】
上記分流部の上記縦流路部には、その上端から上記ガイド部の上端までほぼ鉛直方向に延びる誘導面が形成されている請求項２乃至７の何れか１項に記載の水洗大便器。
【請求項９】
上記排水管路は、上記便器本体とは別体の樹脂部材である請求項１乃至８の何れか１項に記載の水洗大便器。
【請求項１０】
上記分流部の上記縦流路部には、その上端から上記ガイド部の上端までほぼ鉛直方向に延びる誘導面が形成され、
上記排水トラップ管路の出口部の側面が、上記排水管路の上記分流部の上記誘導面とほぼ面一に形成されている請求項９に記載の水洗大便器。
【請求項１１】
上記排水管路の上記分流部は、横方向に延びる横方向流路を形成し、
上記分流部の上記ガイド部は、上記分流部の上記横方向流路と上記横方向流路から左右方向に延びる上記遅延流路との間に形成されている請求項１記載の水洗大便器。
【請求項１２】
上記分流部の上記ガイド部と上記横方向流路の上記側壁との接続部分は湾曲面を形成している請求項１１に記載の水洗大便器。
【請求項１３】
上記遅延流路の下流側面は、上記分流部の上記ガイド部の下流側且つ上記ガイド部に対向している位置まで、上記分流部内に突出するように形成される請求項１１又は１２に記載の水洗大便器。
【請求項１４】
上記遅延流路の上記下流側面の端部が、上記横方向流路の上流側から見た側面視において、上記横方向流路より外側に位置している請求項１３に記載の水洗大便器。
【請求項１５】
上記排水管路は、上記排水トラップ管路とは別体の樹脂部材である請求項１１乃至１４の何れか１項に記載の水洗大便器。
【発明の詳細な説明】
【技術分野】
【０００１】
本発明は、水洗大便器に係わり、特に、洗浄水により便器を洗浄して汚物を排出する水洗大便器に関する。
【背景技術】
【０００２】
従来から、特許文献１に示すように、水洗大便器の便器本体の排水路と床下排水管を接続する排水ソケットが知られている。このような排水ソケットは、便器本体の排水路の出口部に接続される便器本体側接続管部材と、床下排水管の入口部と接続される床下側接続管部材と、便器本体側接続管部材と床下側接続管部材を接続するほぼ直線状に延びる中間管部材と、を有している。
【０００３】
このような排水ソケットを備えた水洗大便器において、便器洗浄が開始され、ボウル部内の汚物が便器本体から排出されるとき、まず、ボウル部に貯留された一部の洗浄水が、汚物に先行する先行洗浄水として、排水路から排水ソケットに流入し、建物配管に流れる。その後、主に汚物の後続側を流れて汚物を搬送する洗浄水の搬送流が、排水ソケットに流入し、汚物とともに建物配管に流れる。
【先行技術文献】
【特許文献】
【０００４】
【特許文献１】特開２０１１−１７９１８７号公報
【発明の概要】
【発明が解決しようとする課題】
【０００５】
しかしながら、特許文献１に記載されているような水洗大便器において、節水化の要請により一回の便器洗浄に使用する洗浄水の水量を低減することが要請されている。このとき、汚物の後続側を流れて汚物を搬送する搬送流の水量も減少することとなる。このような搬送流の水量の減少により、汚物を横方向に延びる管路内において搬送できる距離が短くなる等、汚物を搬送する搬送性能が低下するという恐れがある。
【０００６】
そこで、本発明は、上述した従来技術の問題点を解決するためになされたものであり、節水化の要請により便器を洗浄する洗浄水量が低減された場合であっても、汚物を押し流す搬送流の水量を増加させることができ、汚物を搬送する搬送性能を向上させることができる水洗大便器を提供することを目的としている。
【課題を解決するための手段】
【０００７】
上記の目的を達成するために、本発明は、洗浄水により洗浄され汚物を排出する水洗大便器であって、汚物を受けるボウル部と、このボウル部の下部から延びる排水トラップ管路と、を備えた便器本体と、上記排水トラップ管路と連通し且つ前記汚物を下流側の建物配管に排出させる排水管路とを有し、上記排水管路が、上記排水トラップ管路の下流側と連通する上流側排水管路部と、上記上流側排水管路部の下流側に設けられる分流部と、上記分流部の下流側に設けられる下流側排水管路部と、上記分流部から分岐された遅延流路とを備え、上記分流部は、上記排水トラップ管路から供給される流速の低い洗浄水を自身に沿わせて上記遅延流路に導く一方で上記排水トラップ管路から供給される流速の高い洗浄水を上記遅延流路に向けて沿わせないように上記下流側排水管路部に導くガイド部を備え、上記遅延流路は、上記分流部の上記ガイド部によって流入された洗浄水を、流入されたときよりも後に上記分流部に到達する洗浄水の流れに合流させることを特徴としている。
このように構成された本発明においては、洗浄時に、分流部のガイド部が、汚物より先行する流速の低い洗浄水を遅延流路に流入させ、遅延流路が、流入された洗浄水を流入されたときよりも後のタイミングで分流部に到達する汚物を押し流す搬送流に合流させる。これにより、汚物を押し流す搬送流の水量を増加させることができ、汚物を搬送する搬送性能を向上させることができる。
また、本発明によれば、汚物を搬送する流速の高い搬送流を遅延流路に向けて沿わせないように下流側排水管路部に導き、搬送流を遅延流路に流入しにくくすることができるとともに、汚物より先行する流速の低い洗浄水を選択的に遅延流路に流入させることができる。
【０００８】
本発明において、好ましくは、上記排水トラップ管路は、上記ボウル部の下部と接続する入口管路と、上記入口管路から斜め上方に延びる上昇管路と、上記上昇管路から下降する下降管路とを備え、上記排水管路の上記分流部は、上下方向に延びる縦流路部を備え、上記分流部の上記ガイド部は、上記縦流路部から上記排水トラップ管路の上記上昇管路側に形成されると共に、上記分流部の上記縦流路部と上記遅延流路との間に形成されている。
このように構成された本発明においては、便器洗浄時に、汚物より先行する流速の低い洗浄水は、比較的弱い水勢により、縦流路部のうち排水トラップ管路の上昇管路側を流下する。一方、便器洗浄時に、汚物を搬送する流速の高い搬送流が排水トラップ管路の上昇管路から下降管路及び分流部の縦流路部に流入する際に、このような流速の高い搬送流は、比較的強い水勢により、縦流路部のうち排水トラップ管路の上昇管路側と反対側の側壁側を流下する。よって、本発明によれば、汚物を搬送する搬送流を遅延流路に流入しにくくすることができるとともに、汚物より先行する流速の低い洗浄水を選択的に遅延流路に流入させることができる。従って、本発明によれば、汚物より先行する流速の低い洗浄水を、より効率よく遅延流路に流入させ汚物を搬送する搬送流に合流させることができる。
【０００９】
本発明において、好ましくは、上記分流部のガイド部は、斜め下方に延び且つ鉛直線に対して鋭角の角度を形成する。
このように構成された本発明においては、分流部のガイド部が、鉛直線に対して９０度以上の角度を形成する場合に比べて、分流部のガイド部と、縦流路部との間の方向の変化が少なくされている。よって、本発明によれば、洗浄水をガイド部からより剥離し難くすることができ、洗浄水をさらに効率よく遅延流路に導くことができる。
【００１０】
本発明において、好ましくは、上記分流部の上記ガイド部は、上記縦流路部を形成する側壁のうち上記排水トラップ管路の上記上昇管路側に形成され、且つその上記上昇管路と反対側の側壁側に切欠部を形成する。
このように構成された本発明においては、分流部のガイド部は、縦流路部を形成する側壁のうち排水トラップ管路の上昇管路側に形成され、且つその上昇管路と反対側の側壁側に切欠部を形成するので、汚物を搬送する流速の高い洗浄水が切欠部を通過し、ガイド部から遅延流路に流入しないようにすることができる。
【００１１】
本発明において、好ましくは、上記分流部の上記ガイド部と上記縦流路部を形成する上記側壁との接続部分は湾曲面を形成している。
このように構成された本発明においては、分流部のガイド部と縦流路部を形成する側壁との接続部分は湾曲面を形成しているので、ガイド部と側壁との接続部分において流れを剥離し難くすることができる。よって、本発明によれば、遅延流路に流入させる洗浄水の水量をより増加させることができ、汚物を押し流す搬送流に合流させる洗浄水の水量をより増加させることができる。
【００１２】
本発明において、好ましくは、上記遅延流路の底面は、上記分流部の上記ガイド部の下方且つ上記ガイド部に対向している位置まで、上記分流部内に突出するように形成される。
このように構成された本発明においては、分流部のガイド部から剥離して落下した洗浄水を遅延流路の底面により遅延流路内に受け入れることができる。よって、本発明によれば、遅延流路に流入させる洗浄水の水量をより増加させることができ、汚物を押し流す搬送流に合流させる洗浄水の水量をより増加させることができる。
【００１３】
本発明において、好ましくは、上記遅延流路の上記底面の端部が、上面視において、上記縦流路部より外側に位置している。
このように構成された本発明においては、分流部の縦流路部を流下する汚物を搬送する流速の高い搬送流を、遅延流路の底面により、遅延流路に流入させてしまうことを抑制することができる。よって、本発明によれば、汚物を搬送する搬送流の運動エネルギーの低下を抑制することができる。
【００１４】
本発明において、好ましくは、上記分流部の上記縦流路部には、その上端から上記ガイド部の上端までほぼ鉛直方向に延びる誘導面が形成されている。
このように構成された本発明においては、誘導面が縦流路部の上端からガイド部の上端までほぼ鉛直方向に延び、流速の低い洗浄水を誘導面に沿ってガイド部まで導くことができるため、ガイド部に沿うように遅延流路に流入する洗浄水の水量をより増加させることができる。
【００１５】
本発明において、好ましくは、上記排水管路は、上記便器本体とは別体の樹脂部材である。
このように構成された本発明においては、排水管路は、便器本体とは別体の樹脂部材であるので、下流側の建物配管の位置に応じて位置の微調整を行うことが容易にできる。
【００１６】
本発明において、好ましくは、上記分流部の上記縦流路部には、その上端から上記ガイド部の上端までほぼ鉛直方向に延びる誘導面が形成され、上記排水トラップ管路の出口部の側面が、上記排水管路の上記分流部の上記誘導面とほぼ面一に形成されている。
このように構成された本発明においては、排水トラップ管路の出口部の側面が、排水管路の分流部の誘導面とほぼ面一に形成されている。これにより、本発明によれば、排水管路と排水トラップ管路とを別体の部材とした場合であっても、誘導面に流速の低い洗浄水を確実に沿わせることができるため、誘導面からガイド部を介して遅延流路に流入する流速の低い洗浄水の水量をより増加させることができる。
【００１７】
本発明において、好ましくは、上記排水管路の上記分流部は、横方向に延びる横方向流路を形成し、上記分流部の上記ガイド部は、上記分流部の上記横方向流路と上記横方向流路から左右方向に延びる上記遅延流路との間に形成されている。
このように構成された本発明においては、汚物を搬送する搬送流は、流速が比較的高いため横方向流路内の左右方向に広がりにくく、横方向流路をほぼ直進する。これに対し、汚物より先行する洗浄水は、流速が比較的低いため、横方向流路内の左右方向に拡散しやすくなる。よって、本発明によれば、汚物を搬送する搬送流を遅延流路に流入しにくくすることができるとともに、分流部のガイド部が、汚物より先行する洗浄水を効率よく選択して左右方向に延びる遅延流路に流入させることができる。
【００１８】
本発明において、好ましくは、上記分流部の上記ガイド部と上記横方向流路の上記側壁との接続部分は湾曲面を形成している。
このように構成された本発明においては、分流部のガイド部と横方向流路の側壁との接続部分は湾曲面を形成しているので、ガイド部と横方向流路の側壁との接続部分において流れを剥離し難くすることができる。よって、本発明によれば、遅延流路に流入させる洗浄水の水量をより増加させることができ、汚物を押し流す搬送流に合流させる洗浄水の水量をより増加させることができる。
【００１９】
本発明において、好ましくは、上記遅延流路の下流側面は、上記分流部の上記ガイド部の下流側且つ上記ガイド部に対向している位置まで、上記分流部内に突出するように形成される。
このように構成された本発明においては、分流部のガイド部から剥離して下流側に流れる洗浄水を遅延流路の下流側面により遅延流路内に受け入れることができる。よって、本発明によれば、遅延流路に流入させる洗浄水の水量をより増加させることができ、汚物を押し流す搬送流に合流させる洗浄水の水量をより増加させることができる。
【００２０】
本発明において、好ましくは、遅延流路の上記下流側面の端部が、上記横方向流路の上流側から見た側面視において、上記横方向流路より外側に位置している。
このように構成された本発明においては、分流部の横方向流路を下流側に流れる汚物を搬送する流速の高い洗浄水を、遅延流路の下流側面により、遅延流路に流入させてしまうことを抑制することができる。よって、本発明によれば、汚物を搬送する搬送流の運動エネルギーの低下を抑制することができる。
【００２１】
本発明において、好ましくは、上記排水管路は、上記排水トラップ管路とは別体の樹脂部材である。
このように構成された本発明においては、排水管路は、排水トラップ管路とは別体の樹脂部材であるので、下流側の建物配管の位置に応じて位置の微調整を行うことが容易にできる。
【発明の効果】
【００２２】
本発明の水洗大便器によれば、節水化の要請により便器を洗浄する洗浄水量が低減された場合であっても、汚物を押し流す搬送流の水量を増加させることができ、汚物を搬送する搬送性能を向上させることができる。
【図面の簡単な説明】
【００２３】
【図１Ａ】本発明の第１実施形態による水洗大便器の鉛直方向断面図において、汚物より先行する先行洗浄水が汚物の先行側を流れる様子を示す図である。
【図１Ｂ】本発明の第１実施形態による水洗大便器の鉛直方向断面図において、汚物を押し流すように作用する搬送流が汚物の後続側を流れる様子を示す図である。
【図２】図１ＡのＩＩ−ＩＩ線に沿った断面図である。
【図３】図１Ａに示す本発明の第１実施形態による水洗大便器において、排水ソケットの分流部近傍を部分的に切断して内部構造を示す拡大斜視図である。
【図４】本発明の第１実施形態による水洗大便器の排水ソケットの上面図である。
【図５】図４のＶ−Ｖ線に沿った断面図である。
【図６】本発明の第１実施形態による水洗大便器の排水ソケットを図５のＶＩ−ＶＩ線に沿って切った断面図である。
【図７】本発明の第１実施形態による水洗大便器において、第１変形例の遅延流路を備えた排水ソケットを示す上面図である。
【図８】図７のＶＩＩＩ−ＶＩＩＩ線に沿った断面図である。
【図９】本発明の第１実施形態による水洗大便器において、第１変形例の遅延流路を備えた排水ソケットを図８のＩＸ−ＩＸ線に沿って切った断面図である。
【図１０】本発明の第１実施形態による水洗大便器において、第２変形例の遅延流路を備えた排水ソケットの内部構造を水平断面により示す断面図である。
【図１１】本発明の第１実施形態による水洗大便器が第３変形例の排水ソケットを一体に形成している構造を示す断面図である。
【図１２】本発明の第２実施形態による水洗大便器において、排水ソケットの内部流路を示している側面図である。
【図１３】図１２のＸＩＩＩ−ＸＩＩＩ線に沿った断面図である。
【図１４】図１２のＸＩＶ−ＸＩＶ線に沿った断面図である。
【図１５】本発明の第３実施形態による水洗大便器において、排水ソケットの分流部近傍を部分的に切断して内部構造を示す拡大斜視図である。
【図１６】本発明の第３実施形態による水洗大便器において、排水ソケットの内部構造を中央断面により示す断面図である。
【図１７】本発明の第３実施形態による水洗大便器の排水ソケットを図１６のＸＶＩＩ−ＸＶＩＩ線に沿って切った断面図である。
【図１８Ａ】本発明の各実施形態の水洗大便器の排水ソケットの分流部及び遅延流路を適用することができる水洗大便器として、床向きに開口する排水トラップ管路と、壁面から延びる建物配管とを接続する排水ソケットを備えた水洗大便器を示す断面図である。
【図１８Ｂ】本発明の各実施形態の水洗大便器の排水ソケットの分流部及び遅延流路を適用することができる水洗大便器として、壁向きに開口する排水トラップ管路と、壁面から延びる建物配管とを接続する排水ソケットを備えた水洗大便器を示す断面図である。
【図１８Ｃ】本発明の各実施形態の水洗大便器の排水ソケットの分流部及び遅延流路を適用することができる水洗大便器として、壁向きに開口する排水トラップ管路と、床面から延びる建物配管とを接続する排水ソケットを備えた水洗大便器を示す断面図である。
【発明を実施するための形態】
【００２４】
以下、添付図面により、本発明の第１実施形態による水洗大便器を説明する。
まず、図１Ａ及び図２により本発明の第１実施形態による水洗大便器を説明する。図１Ａは本発明の第１実施形態による水洗大便器の鉛直方向断面図において、汚物より先行する先行洗浄水が汚物の先行側を流れる様子を示す図であり、図２は図１ＡのＩＩ−ＩＩ線に沿った断面図である。
図１Ａに示すように、水洗大便器１は、便器本体２を備え、この便器本体２の上部の前方側には、ボウル部４が形成され、後方側の上部には導水路６が形成され、導水路６及びボウル部４の下方には、ボウル部４の下部から延びる排水トラップ管路８が形成されている。ボウル部４は、ボウル形状に形成され、汚物を受けるようになっている。水洗大便器１は、例えば、３．８リットル乃至６リットルの洗浄水で洗浄する、節水型の洗い落とし式の水洗大便器である。
本実施形態の水洗大便器１は、本発明を床置き式の洗い落とし式水洗大便器に適用した例であるが、本発明はこれ以外の、例えば、壁掛け式の水洗大便器や、サイホン作用が発生するサイホン式の水洗大便器に適用することもできる。
以下、本発明の実施形態において、図１Ａにおける上側を前方、下側を後方とし、便器本体２を前方から見て右側を右側とし、前方から見て左側を左側とする。
【００２５】
便器本体２のボウル部４の上縁部内側にはオーバーハング形状のリム１０が形成され、さらに、このリム１０の一部には、導水路６から供給される洗浄水を吐水するリム吐水口１２が形成され、リム吐水口１２から吐水された洗浄水は、旋回しながら下降してボウル部４を洗浄するようになっている。
【００２６】
ボウル部４の下方には、一点鎖線で溜水面Ｗ0が示された溜水部１４が形成されている。排水トラップ管路８は、ボウル部４の下部と接続する入口管路８ａと、入口管路８ａから斜め後方上方に延びる上昇管路８ｂと、上昇管路８ｂから下降する下降管路８ｃとを備えている。ボウル部４及び排水トラップ管路８は陶器製であり、便器本体２と一体成形される。入口管路８ａは排水トラップ管路８の入口８ｆを形成している。
【００２７】
さらに、便器本体２の導水路６の上方には、便器本体２に供給する洗浄水を貯水する洗浄水タンク装置１８が設けられている。この洗浄水タンク装置１８は、洗浄水を貯水する洗浄水タンク２０を備え、この洗浄水タンク２０の底部には、便器本体２の導水路６と連通して洗浄水タンク２０内の洗浄水を排水する排水口２０ａが形成されている。
【００２８】
図２に示すように、便器本体２は、さらに、ボウル部４及び排水トラップ管路８を側方から覆うように設けられたスカート部９を備えている。スカート部９は、便器本体２の外周の全周にわたって形成される外壁面である。スカート部９は、便器本体２の上端から床面Ｆまで形成されている。よって、スカート部９は、ボウル部４、排水トラップ管路８及び排水ソケット１６の外側を覆っている。
【００２９】
スカート部９の内側の領域は、平面視にて、排水トラップ管路８の左右方向（排水トラップ管路８の入口８ｆと出口８ｄとを結ぶ方向と直交する方向）の幅より中央側の領域として前後方向（排水トラップ管路８の入口８ｆと出口８ｄとを結ぶ方向）に延びる中央領域Ｄと、中央領域Ｄの便器本体側方側の側方領域Ｅとを含む。中央領域Ｄは、スカート部９の内側において、排水トラップ管路８程度の幅で下部から上部まで延びる直方体状の空間領域である。中央領域Ｄは、平面視にて、点線Ｇ１と点線Ｇ２と前部及び後部のスカート部９とで囲まれた領域である。側方領域Ｅは、スカート部９の内側において、中央領域Ｄの右側及び左側においてそれぞれ下部から上部まで延びる空間領域である。側方領域Ｅは、平面視にて、点線Ｇ１と点線Ｇ１の外側のスカート部９とで囲まれた領域及び点線Ｇ２と点線Ｇ２の外側のスカート部９とで囲まれた領域である。
【００３０】
つぎに、図３乃至図６により、本実施形態の水洗大便器１の排水ソケット１６の構成について詳細に説明する。図３は図１Ａに示す本発明の第１実施形態による水洗大便器において、排水ソケットの分流部近傍を部分的に切断して内部構造を示す拡大斜視図、図４は本発明の第１実施形態による水洗大便器の排水ソケットの上面図、図５は図４のＶ−Ｖ線に沿った断面図、図６は本発明の第１実施形態による水洗大便器の排水ソケットを図５のＶＩ−ＶＩ線に沿って切った断面図である。
水洗大便器１は、さらに、排水トラップ管路８と連通し且つ汚物を下流側の建物配管２２に排出させる排水管路である排水ソケット１６を有している。
排水ソケット１６は、概ね上流側から下流側の順に、上流側排水管路部２４、分流部２６、遅延流路２８及び、下流側排水管路部３０を備えている。排水ソケット１６は、便器本体２とは別体の樹脂部材である。
【００３１】
上流側排水管路部２４は、その上流側端部において排水トラップ管路８の下降管路８ｃの出口８ｄに接続され、この出口８ｄとほぼ平行且つ鉛直方向下方に延びる。上流側排水管路部２４は、下降管路８ｃの出口８ｄの外側上方からこの出口８ｄの近傍の下方まで延びている。
【００３２】
下流側排水管路部３０は、分流部２６の下流側に設けられる。下流側排水管路部３０は、建物配管２２の位置まで横方向に直線状に延びる横方向流路を形成する。下流側排水管路部３０の下流側端部は、便器本体２が配置されている床Ｆの下方に配置される建物配管２２に接続されている。
【００３３】
分流部２６は、上流側排水管路部２４の下流側に設けられる。分流部２６は、上流側排水管路部２４と接続され、さらに下流側排水管路部３０と接続される。分流部２６は、上流側排水管路部２４と下流側排水管路部３０との間の鉛直方向に延びる直線状の流路である。図５において、分流部２６を点線により示している。分流部２６は、排水トラップ管路８から供給される流速の比較的低い洗浄水の少なくとも一部を自身に沿わせて遅延流路２８内に導くガイド部３２を備える。分流部２６は、さらに、ガイド部３２の内側において分流部２６の上端から下端まで上下方向に延びる縦流路（縦流路部）３４を備える。図５において、縦流路３４を一点鎖線により示している。
【００３４】
分流部２６のガイド部３２は、縦流路３４を形成する側壁３４ａから排水トラップ管路８の上昇管路８ｂ側に形成されると共に、分流部２６の縦流路３４と遅延流路２８との間に形成されている。ガイド部３２は、縦流路３４の前側に配置される。ガイド部３２は、その上端から斜め下方に延びるように垂れ下がり、その下端が遅延流路２８内に向かうように広がって形成されている。ガイド部３２は、鉛直線Ｚに対して鋭角の角度α１を形成する。角度α１は、５度〜６０度の範囲、より好ましくは５度〜４５度の範囲、より好ましくは３０度に形成されている。ガイド部３２の下端と遅延流路２８の底面５０との間には、流入開口が形成される。
【００３５】
図４に示すように、ガイド部３２は、鉛直流路３４を形成する側壁３４ａから排水トラップ管路８の上昇管路８ｂ側に形成され、且つ縦流路３４内においてその上昇管路８ｂと反対側の側壁側にガイド部３２の一端と他端との間の切欠部として切欠部３６を形成する。ガイド部３２は、側壁３４ａの全周のうち概ね半周部分に形成されている。図４において、切欠部３６は、概略的に仮想線により示されている。切欠部３６の領域においては、ガイド部３２は形成されていないので、汚物を搬送する流速の高い洗浄水がガイド部３２に衝突することが抑制され、比較的強い水勢を維持したまま、縦流路３４を形成する側壁３４ａのうち切欠部３６の領域を流下する。
【００３６】
図３及び図５に示すように、分流部２６のガイド部３２と側壁３４ａとの接続部分３８は滑らかに湾曲した湾曲面を形成している。分流部２６の側壁３４ａには、ガイド部３２の上端までほぼ鉛直方向に延びる誘導面３４ｂが形成されている。排水トラップ管路８の出口８ｄの側面８ｅが、排水ソケット１６の分流部２６の誘導面３４ｂとほぼ面一に形成されている（図１Ａ参照）。
【００３７】
図６に示すように、遅延流路２８は、分流部２６から分岐された流路を形成する。遅延流路２８は、側方領域Ｅにおいて流路を形成している。遅延流路２８は、汚物より先行して分流部２６から流入された洗浄水を、流入されたときよりも後に分流部２６に到達する洗浄水の流れに合流させるようになっている。遅延流路２８は、ガイド部３２の横方向に配置される。遅延流路２８は、便器本体２の前後方向中心軸線に対して左右対称に形成されている。
【００３８】
遅延流路２８は、分流部２６と接続する接続部４６と、接続部４６から側方領域Ｅ側に延びる拡張流路４８と、を備えている。
【００３９】
接続部４６は、分流部２６の上昇管路８ｂ側に接続される。接続部４６は、ガイド部３２に沿って流入した洗浄水を受け入れる入口４０を備え、この入口４０は、接続部４６内に流入した洗浄水を流出させる出口４４としても機能する。さらに、接続部４６は、入口４０から流入した洗浄水を出口４４から流出するまで内部で流し一時的に滞在させる貯留室としても機能する。接続部４６の入口４０は、ガイド部３２の下方且つ外側に位置している。入口４０は、分流部２６の上昇管路８ｂ側の半周程度を含むような開口を形成している。遅延流路２８は、入口４０と出口４４とを共通とし洗浄水が遅延流路２８内で流れながら一時的に滞在する貯留タイプの遅延流路である。さらに、接続部４６は、分流部２６から流入した洗浄水の流れ方向を側方側の側方領域Ｅ側に向けて変更させる屈曲流路を形成している。接続部４６は、屈曲流路を形成しているので、内部を流れる洗浄水の流速を減速させる。接続部４６は、洗浄水を内部に流すことにより、この洗浄水が排水ソケット１６を流れるタイミングを当初よりも遅延させることができる。このような構造により、遅延流路２８は、分流部２６のガイド部３２によって流入された洗浄水を、流入されたときよりも後に分流部２６に到達する洗浄水の流れに遅延して合流させる。
【００４０】
拡張流路４８は、中央領域Ｄの側方のうち一方側及び他方側の側方領域Ｅに設けられている。拡張流路４８は、中央領域Ｄの側方のうち一方側又は他方側の側方領域Ｅにのみ設けられていてもよい。本実施形態において拡張流路４８は側方領域Ｅ内にのみ設けられているが、拡張流路４８は中央領域Ｄ及び側方領域Ｅ内に設けられていてもよい。拡張流路４８は、排水トラップ管路８の入口８ｆと出口８ｄとを結ぶ方向に沿った方向、すなわち便器本体２の前後方向に延びる。拡張流路４８は、側面視で、排水トラップ管路８の下降管路８ｃの下方の位置から排水トラップ管路８と一部が重なる位置まで延びている。拡張流路４８は、遅延流路２８を側方領域Ｅ内において拡張している。拡張流路４８は、遅延流路２８を側方領域Ｅ内のより広い領域に拡げ、遅延流路２８の底面積をより増加させている。拡張流路４８が遅延流路２８の底面積を増加させることにより、流入する洗浄水の流速が低い場合でも、洗浄水が遅延流路２８の広い領域にわたって流入しやすく、遅延流路２８の底面積が狭い場合と比べて、より多くの洗浄水を遅延流路へ流入させやすくすることができる。よって、遅延流路２８を側方領域Ｅに形成し、側方領域Ｅにおいて底面積を増加させることにより、流入する洗浄水の流速によらず、より確実にこの遅延流路内部を流れる洗浄水量を増加させることができる。拡張流路４８は、洗浄水を一時的に滞在させることができる貯留室としても機能する。拡張流路４８は、接続部４６から流入した洗浄水が拡張流路４８内を接続部４６に向けて折り返すように流れるため、流入した洗浄水の流速を減速させるようになっている。
【００４１】
さらに、図５及び図６に示すように、遅延流路２８の底面５０は、分流部２６のガイド部３２の下方且つガイド部３２と対向している位置まで、分流部２６内に突出するように形成される。遅延流路２８の底面５０の端部５０ａが、上面視において、縦流路３４の外縁より外側に位置している。遅延流路２８の底面５０は、接続部４６及び拡張流路４８において入口４０に向かってわずかに傾斜して形成される。よって、流入する洗浄水の流速を減速させるとともに遅延流路２８内の残水を入口４０に向かって排水することができる。
【００４２】
つぎに、図１Ａ、図１Ｂ及び図６を参照し、本発明の第１実施形態による水洗大便器の動作（作用）を説明する。
図１Ａ、図１Ｂ及び図６を参照して、本発明の第１実施形態による水洗大便器において便器洗浄による排水が行われているときの状態を説明する。なお、図１Ａ、図１Ｂ及び図６において、汚物Ｃより先行する流速の比較的低い先行洗浄水の流れを矢印Ａ（Ａ０〜Ａ６）、主に汚物Ｃの後続側を流れて汚物を押し流す搬送流の流れを矢印Ｂ（Ｂ０〜Ｂ４）で示している。ここで「汚物Cの先行側」とは汚物Ｃの流れる流路上で、汚物Ｃよりも先行している前側をいう。「汚物Cの後続側」とは汚物Ｃの流れる流路上で、汚物Ｃに続く後側をいう。
【００４３】
図１Ａ、図１Ｂ及び図６に示すように、使用者が水洗大便器１を使用後、洗浄水タンク装置１８の洗浄水タンク２０の排水口２０ａが開放され、この排水口２０ａから洗浄水が便器本体２の導水路６に排水される。そして、この導水路６内の洗浄水が水洗大便器１のリム吐水口１２から溜水部１４内に吐水され、便器本体２の洗浄が行われる。溜水部１４内の汚物Ｃを含む洗浄水は、導水路６から溜水部１４への洗浄水の落差による流水作用により、排水トラップ管路８の入口管路８ａから上昇管路８ｂ及び下降管路８ｃに押し流され、排水トラップ管路８の出口８ｄへと送られる。
【００４４】
先ず、汚物の流れより先行して流速の比較的低い洗浄水が流れる様子を説明する。
図１Ａに示すように、洗浄開始時において、矢印Ａ０に示すように、汚物Ｃより先行して流速の比較的低い先行洗浄水Ａが汚物Ｃの先行側を流れる。汚物Ｃの先行側を流れる先行洗浄水Ａは、洗浄水量も比較的小さい。
【００４５】
図１Ａに示すように、洗浄開始時において、先行洗浄水Ａが上昇管路８ｂから下降管路８ｃ側に徐々に流出する。流速の比較的低い先行洗浄水Ａは、水勢が弱く、矢印Ａ１に示すように、下降管路８ｃの上昇管路８ｂ側の側面８ｅに沿って流下する。さらに、先行洗浄水Ａは、側面８ｅから分流部２６の誘導面３４ｂに沿って滑らかに流下し、矢印Ａ２に示すように、誘導面３４ｂからガイド部３２に沿って遅延流路２８に向かって導かれる。先行洗浄水Ａは、コアンダ効果によりガイド部３２に引き寄せられ、流れの方向がガイド部３２の延びる向きに偏向される。このように、先行洗浄水Ａの少なくとも一部は、矢印Ａ３に示すように、遅延流路２８の接続部４６の入口４０に流入する。接続部４６内に流入した先行洗浄水Ａは、図９の矢印Ａ４に示すように、接続部４６から拡張流路４８に向かって流れる。先行洗浄水Ａは、接続部４６において流れの向きが偏向されるので流速が流入時の流速よりも速度が低下する。先行洗浄水Ａは、接続部４６及び拡張流路４８内を流れることにより、主流路である縦流路３４を流れる洗浄水の流れに対して遅延される。先行洗浄水Ａは、接続部４６及び拡張流路４８内で一時的に滞留されるように緩やかに流れ、主流に戻る。洗浄開始から時間が経過し接続部４６の入口４０に流入する洗浄水が少なくなる又はなくなると、接続部４６及び拡張流路４８内の先行洗浄水Ａは、図１Ｂの矢印Ａ５に示すように、出口４４に向かって流れ、出口４４から縦流路３４に向かって流出する。
なお、ここでいう「コアンダ効果」とは、噴流が固体壁に沿って曲げられる現象であり、水道の蛇口に指を近づけると水流が指のほうに曲げられる現象もコアンダ効果によるものであるとする。
【００４６】
次に、汚物を押し流す搬送流について説明する。
図１Ａに示すように、洗浄開始時において、導水路６から溜水部１４への洗浄水の落差による流水作用により、汚物を強力に押し流す搬送流Ｂが形成される。
矢印Ｂ０に示すように、汚物Ｃを押し流すように作用する搬送流Ｂは汚物Ｃの周囲且つ主に汚物Ｃの後続側を流れる。搬送流Ｂは主に汚物Ｃの後続側を流れる背負い水を形成する。このような搬送流Ｂは、流速が比較的高く、且つ洗浄水量も比較的大きい。搬送流Ｂは、汚物Ｃを主に後続側から押し流すように作用する。本発明の発明者は、搬送流Ｂの汚物Ｃを押し流す力及び搬送流Ｂの運動エネルギーは、この搬送流Ｂの水量を増加させることにより、より向上させることができることを見出した。
【００４７】
図１Ｂに示すように、汚物Ｃ及び搬送流Ｂは比較的高い流速を有しているので、汚物Ｃ及び搬送流Ｂの主流は、矢印Ｂ１に示すように、下降管路８ｃのうち上昇管路８ｂと反対側の側壁側に沿って流下する。汚物Ｃ及び搬送流Ｂの主流は、矢印Ｂ２に示すように、縦流路３４の側壁３４ａのうち上昇管路８ｂと反対側の側壁側の切欠部３６を通過する。さらに、汚物Ｃ及び搬送流Ｂの主流は、矢印Ｂ３に示すように、主流路である縦流路３４内を流下し、遅延流路２８の底面に衝突されること及び遅延流路２８に流入されることが抑制されている。
【００４８】
流速の比較的低い先行洗浄水Ａは、流れてくる先行洗浄水Ａの流量のうち比較的多くの割合の洗浄水がガイド部３２に沿って遅延流路２８に導かれる。これに対し、流速が比較的高い搬送流Ｂは、矢印Ｂ１’に示すように、流れてくる搬送流Ｂの流量のうち比較的少ない割合の洗浄水がガイド部３２に沿って遅延流路２８に導かれる。よって、先行洗浄水Ａのうちガイド部３２に沿って遅延流路２８に導かれる先行洗浄水Ａの割合は、搬送流Ｂのうちガイド部３２に沿って遅延流路２８に導かれる搬送流Ｂの割合よりも大きくなっている。なお、搬送流Ｂのうちガイド部３２に沿って遅延流路２８に導かれる搬送流Ｂの割合は、０％以上の割合となっている。
【００４９】
出口４４から縦流路３４に流出する先行洗浄水Ａは、矢印Ａ６に示すように、搬送流Ｂに合流される。上述のように遅延流路２８内に流入した先行洗浄水Ａが、出口４４から縦流路３４に向かって流出するまでには、遅延流路２８内を流れている所定時間が経過している。よって、先行洗浄水Ａは、先行洗浄水Ａが遅延流路２８に流入されたときよりも後の所定時間経過後のタイミングで分流部２６の縦流路３４に到達する搬送流Ｂに合流される。よって、遅延流路２８に流入した先行洗浄水Ａの一部は、搬送流Ｂに転換される。
これにより、汚物Ｃの搬送への寄与が少ない先行洗浄水Ａを搬送流Ｂに追加し、矢印Ｂ４に示すように、汚物Ｃの搬送流Ｂの水量を増加させることができ、汚物Ｃを搬送する搬送性能を向上させることができる。矢印Ｂ４は、先行洗浄水Ａが搬送流Ｂに合流し、洗浄水の流量及び体積がともに増加された搬送流Ｂを示している。
【００５０】
汚物Ｃ及び搬送流Ｂは、下流側排水管路部３０内を下流側に向かって流れ、建物配管２２内に排水される。
【００５１】
次に、図７〜図９を参照し、排水ソケット１６の遅延流路２８の第１変形例について説明する。
この変形例に関し、上述した第１実施形態と同一部分には同一符号を付し説明は省略する。上述した第１実施形態においては、排水ソケット１６の遅延流路２８は、入口４０と出口４４とを共通とし洗浄水を遅延流路２８内に一時的に滞在させる貯留タイプの遅延流路である。
しかしながら、第１実施形態においては、変形例として、上述した遅延流路２８に代えて、入口４０と出口４４とを別個に配置し洗浄水の迂回流路を形成する迂回流路タイプの遅延流路１２８を適用してもよい。
【００５２】
排水ソケット１６は、概ね上流側から下流側の順に、上流側排水管路部２４、分流部２６、遅延流路１２８及び、下流側排水管路部１３０を備えている。
【００５３】
下流側排水管路部１３０は、分流部２６の下流側に設けられる。下流側排水管路部１３０は、建物配管２２の位置まで横方向に直線状に延びる横方向流路を形成する。下流側排水管路部１３０の下流側端部は、便器本体２が配置されている床Ｆの下方に配置される建物配管２２に接続されている。下流側排水管路部１３０は、その下流側部分の上部において出口１４４から流下する洗浄水を受け入れる開口を形成している。
【００５４】
図７乃至図９に示すように、遅延流路１２８は、分流部２６から分岐された流路を形成する。遅延流路１２８は、側方領域Ｅにおいて流路を形成している。遅延流路１２８は、汚物より先行して分流部２６から流入された洗浄水を、流入されたときよりも後に分流部２６に到達する洗浄水の流れに合流させるようになっている。遅延流路１２８は、ガイド部３２の前側の横方向に配置される。遅延流路１２８は、便器本体２の前後方向の中心軸線に対して左右対称に形成されている。
【００５５】
遅延流路１２８は、分流部２６と接続する接続部１４６と、接続部１４６から側方領域Ｅ側に延びる拡張流路１４８と、を備えている。
【００５６】
接続部１４６は、分流部２６の排水トラップ管路８の上昇管路８ｂ側に接続される。接続部１４６は、ガイド部３２に沿って流入した洗浄水を受け入れる入口４０を備えている。さらに、接続部１４６は、入口４０から流入した洗浄水を出口１４４から流出するまで内部で流し一時的に滞在させる貯留室としても機能する。遅延流路１２８は、さらに、接続部１４６の入口４０とは別となり且つ遅延流路１２８内に流入した洗浄水を流出させる出口１４４を備えている。出口１４４は、拡張流路１４８の出口を形成している。よって、遅延流路１２８の接続部１４６と拡張流路１４８とは入口４０から出口１４４に至る迂回流路を形成している。
【００５７】
接続部１４６は、流入した洗浄水の流れ方向を側方側の側方領域Ｅ側に向けて変更させる屈曲流路を形成している。接続部１４６は、屈曲流路を形成しているので、内部を流れる洗浄水の流速を減速させる。接続部１４６は、洗浄水を内部に流すことにより、この洗浄水が排水ソケット１６を流れるタイミングを当初よりも遅延させることができる。
【００５８】
拡張流路１４８は、中央領域Ｄの側方のうち一方側の側方領域Ｅに設けられる第１拡張流路１４８ａと、他方側の側方領域Ｅに設けられる第２拡張流路１４８ｂとを備えている。このように、拡張流路１４８は、中央領域Ｄの側方のうち一方側及び他方側の側方領域Ｅに設けられている。拡張流路１４８は、中央領域Ｄの側方のうち一方側又は他方側の側方領域Ｅのみに設けられていてもよい。本実施形態において拡張流路１４８は側方領域Ｅ内にのみ設けられているが、拡張流路４８は中央領域Ｄ及び側方領域Ｅ内に設けられていてもよい。拡張流路１４８は、排水トラップ管路８に沿った方向、すなわち便器本体２の前後方向に延びる。拡張流路１４８は、側面視で、排水トラップ管路８の下降管路８ｃの下方の位置から排水トラップ管路８と一部が重なる位置まで延びている。拡張流路１４８は、遅延流路２８を側方領域Ｅ内において拡張している。拡張流路１４８は、遅延流路２８を側方領域Ｅ内のより広い領域に拡げ、遅延流路１２８の底面積をより増加させている。拡張流路１４８が遅延流路１２８の底面積を増加させることにより、流入する洗浄水の流速が低い場合でも、洗浄水が遅延流路１２８の広い領域にわたって流入しやすく、遅延流路１２８の底面積が狭い場合と比べて、より多くの洗浄水を遅延流路へ流入させやすくすることができる。よって、遅延流路１２８を側方領域Ｅに形成し、側方領域Ｅにおいて底面積を増加させることにより、流入する洗浄水の流速によらず、より確実にこの遅延流路内部を流れる洗浄水量を増加させることができる。拡張流路１４８は、洗浄水を一時的に滞在させることができる貯留室としても機能する。拡張流路１４８は、接続部１４６から流入した洗浄水が拡張流路４８内を鉛直方向に対して横向きに流れる中で、流入した洗浄水の流速を減速させるようになっている。
【００５９】
遅延流路２８の底面５０は、接続部４６及び拡張流路４８において出口１４４に向かってわずかに傾斜して形成される。よって、流入する洗浄水の流速を適度に減速させるとともに残水を出口１４４に向かって排水することができる。
【００６０】
出口１４４は、入口４０とは別となる出口部として異なる位置に形成されている。出口１４４は、拡張流路１４８の下流端に形成されている。出口１４４は、第１拡張流路１４８ａの出口を形成する第１出口１４４ａと、第２拡張流路１４８ｂの出口を形成する第２出口１４４ｂとを備えている。出口１４４は、下流側排水管路部１３０の上方且つ建物配管２２の上方に形成される。出口１４４は、下方向きに開口され、洗浄水を下方の下流側排水管路部１３０及び建物配管２２内に流下させるようになっている。よって、遅延流路１２８は、入口４０と出口１４４とを別個に形成し、洗浄水の迂回流路を形成する迂回流路タイプの遅延流路である。このような構造により、遅延流路１２８は、分流部２６のガイド部３２に沿って流入された洗浄水を、下流側排水管路部１３０から、流入されたときよりも後に分流部２６に到達する洗浄水の流れに合流させる。なお、接続部４６から第１出口１４４ａに至る第１拡張流路１４８ａと、接続部４６から第２出口１４４ｂに至る第２拡張流路１４８ｂと、が独立して形成される。
【００６１】
つぎに、図１Ａ、図１Ｂ、図７〜図９を参照し、本発明の第１実施形態による水洗大便器における遅延流路の第１変形例に関係する動作（作用）を説明する。
図１Ａ、図１Ｂ、図８及び図９を参照して、本発明の第１実施形態の第１変形例による水洗大便器において便器洗浄による排水が行われているときの状態を説明する。なお、図１Ａ、図１Ｂ、図８及び図９において、汚物Ｃより先行する流速の比較的低い先行洗浄水の流れを矢印Ａ（Ａ０〜Ａ４、Ａ７及びＡ８）、汚物Ｃを含み且つ主に汚物Ｃの後続側を流れて汚物を押し流す搬送流の流れを矢印Ｂ（Ｂ０〜Ｂ３、Ｂ５及びＢ６）で示している。この変形例の動作に関しても、上述した第１実施形態と同一部分には同一符号を付し説明は省略する。
【００６２】
先ず、汚物の流れより先行して流速の比較的低い洗浄水が流れる様子を説明する。
図１Ａに示すように、便器洗浄開始時において、矢印Ａ０に示すように、汚物Ｃより先行して流速の比較的低い先行洗浄水Ａが汚物の先行側を流れる。
【００６３】
図１Ａに示すように、便器洗浄開始時において、先行洗浄水Ａが上昇管路８ｂから下降管路８ｃ側に徐々に流出する。流速の比較的低い先行洗浄水Ａは、水勢が弱く、矢印Ａ１に示すように、下降管路８ｃの上昇管路８ｂ側の側面８ｅに沿って流下する。さらに、先行洗浄水Ａは、側面８ｅから分流部２６の誘導面３４ｂに沿って滑らかに流下し、矢印Ａ２に示すように、誘導面３４ｂからガイド部３２に沿って遅延流路１２８に向かって導かれる。先行洗浄水Ａは、コアンダ効果によりガイド部３２に引き寄せられ、流れの方向がガイド部３２の延びる向きに偏向される。図９に示すように、先行洗浄水Ａの少なくとも一部は、矢印Ａ３に示すように、遅延流路１２８の入口４０に流入する。接続部１４６内に流入した先行洗浄水Ａは、矢印Ａ４に示すように、接続部１４６から拡張流路１４８に向かって流れる。先行洗浄水Ａは、接続部４６において流れの向きが偏向されるので流速が流入時の流速よりも低下される。
【００６４】
接続部１４６及び拡張流路１４８は迂回流路を形成しているので、先行洗浄水Ａは、拡張流路１４８を流れ、矢印Ａ７に示すように、拡張流路１４８の出口１４４に向かって流れる。先行洗浄水Ａは、接続部１４６及び拡張流路１４８内を流れることにより、主流路である縦流路３４を流れる洗浄水の流れに対して遅延される。先行洗浄水Ａは、図８において矢印Ａ８に示すように、出口１４４から下方向きに流下し、下流側排水管路部１３０及び建物配管２２内に流下する。
【００６５】
次に、汚物を押し流す搬送流について説明する。
図１Ａ及び図１Ｂにおいて、矢印Ｂ０に示すように、汚物Ｃを押し流すように作用する搬送流Ｂは汚物Ｃの周囲及び主に汚物Ｃの後続側を流れる。汚物Ｃ及び搬送流Ｂの主流は、矢印Ｂ１に示すように、下降管路８ｃの上昇管路８ｂと反対側の側壁側に沿って流下する。汚物Ｃ及び搬送流Ｂの主流は、矢印Ｂ２に示すように、縦流路３４の側壁３４ａの切欠部３６を通過する。さらに、汚物Ｃ及び搬送流Ｂの主流は、矢印Ｂ３に示すように、縦流路３４内を流下し、遅延流路１２８の底面５０に衝突されること及び遅延流路１２８に流入されることが抑制される。
【００６６】
図８に示すように、汚物Ｃ及び搬送流Ｂの主流は、矢印Ｂ５に示すように、下流側排水管路部１３０内を流れる。下流側排水管路部１３０の下流側部分において、出口１４４から流下する先行洗浄水Ａが、矢印Ａ８に示すように、汚物Ｃ及び搬送流Ｂの主流に合流される。上述のように遅延流路１２８内に流入した先行洗浄水Ａは、出口１４４から下流側排水管路部１３０に向かって流出するまでに、接続部１４６及び拡張流路１４８の所定距離の迂回流路を通過し、所定時間が経過する。さらに、迂回流路を通過する先行洗浄水Ａは流速が比較的低く、後から流れてくる搬送流Ｂは流速が比較的高い。よって、遅延流路１２８に流入された先行洗浄水Ａは、先行洗浄水Ａが流入されたときよりも後の所定時間経過後の遅延されたタイミングで分流部２６の縦流路３４に到達している搬送流Ｂに、下流側排水管路部１３０の下流側部分の位置において合流される。よって、遅延流路１２８に流入した先行洗浄水Ａの一部は、搬送流Ｂに転換される。これにより、汚物Ｃの搬送への寄与が少ない先行洗浄水Ａを搬送流Ｂに追加し、矢印Ｂ６に示すように、汚物Ｃの搬送流Ｂの水量を増加させることができ、汚物Ｃを搬送する搬送性能を向上させることができる。矢印Ｂ６は、先行洗浄水Ａが搬送流Ｂに合流し、洗浄水の流量及び体積がともに増加された搬送流Ｂを示している。
【００６７】
汚物Ｃ及び搬送流Ｂは、下流側排水管路部３０内をさらに下流側に向かって流れ、建物配管２２内に排水される。
【００６８】
次に、図１０を参照して、排水ソケット１６の遅延流路２８の第２変形例について説明する。この変形例に関し、上述した第１実施形態と同一部分には同一符号を付し説明は省略する。上述した第１実施形態においては、排水ソケット１６の遅延流路２８は、入口４０と出口４４とを共通とし洗浄水を遅延流路２８内に一時的に滞在させる貯留タイプの遅延流路である。
しかしながら、第１実施形態においては、変形例として、上述した遅延流路２８に代えて、入口４０と出口４４とを別個に配置し洗浄水の迂回流路を形成する迂回流路タイプの遅延流路２２８を適用してもよい。
【００６９】
排水ソケット１６は、概ね上流側から下流側の順に、上流側排水管路部２４、分流部２６、遅延流路２２８及び、下流側排水管路部３０を備えている。
【００７０】
図１０に示すように、遅延流路２２８は、分流部２６から分岐された流路を形成する。遅延流路２２８は、側方領域Ｅにおいて流路を形成している。遅延流路２２８は、汚物より先行して分流部２６から流入された洗浄水を、流入されたときよりも後に分流部２６に到達する洗浄水の流れに合流させるようになっている。遅延流路２２８は、ガイド部３２の前側の横方向に配置される。遅延流路２２８は、便器本体２の前後方向の中心軸線に対して左右対称に形成されている。
【００７１】
遅延流路２２８は、分流部２６と接続する接続部２４６と、接続部２４６から側方領域Ｅ側に延びる拡張流路２４８と、を備えている。
【００７２】
接続部２４６は、分流部２６の上昇管路８ｂ側に接続される。接続部２４６は、ガイド部３２に沿って流入した洗浄水を受け入れる入口４０を備えている。さらに、接続部２４６は、入口４０から流入した洗浄水を出口２４４から流出するまで内部で流し一時的に滞在させる貯留室としても機能する。遅延流路２２８は、さらに、接続部２４６とは別となり且つ遅延流路２２８内に流入した洗浄水を流出させる出口２４４を備えている。出口２４４は、拡張流路２４８の出口を形成している。よって、遅延流路１２８の接続部１４６と拡張流路１４８とは入口４０から出口１４４に至る迂回流路を形成している。
【００７３】
接続部２４６は、分流部２６から流入した洗浄水の流れ方向を側方側の側方領域Ｅ側に向けて変更させる屈曲流路を形成している。接続部２４６は、屈曲流路を形成しているので、内部を流れる洗浄水の流速を減速させる。接続部２４６は、洗浄水を接続部２４６内を流すことにより、この洗浄水が排水ソケット１６を流れるタイミングを当初よりも遅延させることができる。
【００７４】
拡張流路２４８は、中央領域Ｄの側方のうち一方側の側方領域Ｅに設けられる第１拡張流路２４８ａと、他方側の側方領域Ｅに設けられる第２拡張流路２４８ｂとを備えている。このように、拡張流路２４８は、中央領域Ｄの側方のうち一方側及び他方側の側方領域Ｅのみに設けられている。拡張流路２４８は、中央領域Ｄの側方のうち一方側又は他方側の側方領域Ｅに設けられていてもよい。本実施形態において拡張流路２４８は側方領域Ｅ内にのみ設けられているが、拡張流路２４８は中央領域Ｄ及び側方領域Ｅ内に設けられていてもよい。拡張流路２４８は、排水トラップ管路８に沿った方向、すなわち便器本体２の前後方向に延びる。拡張流路２４８は、接続部２４６から便器本体２の前方に向かって一旦延びた後、外側にＵターンして後方に向かって延び、分流部２６の側方まで延びる。拡張流路２４８は、側面視で、排水トラップ管路８の下降管路８ｃの下方の位置から排水トラップ管路８と一部が重なる位置まで延びている。拡張流路２４８は、遅延流路２２８を側方領域Ｅ内において拡張している。拡張流路２４８は、遅延流路２２８を側方領域Ｅ内のより広い領域に拡げ、遅延流路２２８の底面積をより増加させている。拡張流路２４８が遅延流路２２８の底面積を増加させることにより、流入する洗浄水の流速が低い場合でも、洗浄水が遅延流路２２８の広い領域にわたって流入しやすく、遅延流路２２８の底面積が狭い場合と比べて、より多くの洗浄水を遅延流路へ流入させやすくすることができる。よって、遅延流路２２８を側方領域Ｅに形成し、側方領域Ｅにおいて底面積を増加させることにより、流入する洗浄水の流速によらず、より確実にこの遅延流路内部を流れる洗浄水量を増加させることができる。拡張流路２４８は、洗浄水を一時的に滞在させることができる貯留室としても機能する。拡張流路２４８は、接続部２４６から流入した洗浄水が拡張流路２４８内を比較的長い距離にわたって横向きに流れる中で、流入した洗浄水の流速を減速させるようになっている。
【００７５】
遅延流路２２８の底面５０は、接続部２４６及び拡張流路２４８において出口２４４に向かってわずかに傾斜して形成される。よって、流入する洗浄水の流速を減速させるとともに残水を出口２４４に向かって排水することができる。
【００７６】
出口２４４は、入口４０とは別となる出口部として入口４０とは異なる位置に形成されている。出口２４４は、拡張流路２４８の下流端に形成されている。出口２４４は、第１拡張流路２４８ａの出口を形成する第１出口２４４ａと、第２拡張流路２４８ｂの出口を形成する第２出口２４４ｂとを備えている。出口２４４は、分流部２６の縦流路３４の側壁に開口するように形成されている。よって、出口２４４は、下流側排水管路部３０の横方向流路より上流側の分流部２６に向けて開口される。出口２４４は、洗浄水を分流部２６の縦流路３４内に流出させるようになっている。出口２４４は、縦流路３４の側方側且つ入口４０よりも後方側に形成される。さらに、出口２４４は、上面視において、縦流路３４の上昇管路８ｂと反対側の端部と、ガイド部３２の上昇管路８ｂと反対側の両端部と、の間に位置する。このように、出口２４４は、縦流路３４の外周上において入口４０と並び且つ区別して配置される。遅延流路２２８は、入口４０と出口２４４とを別個に形成し、貯留室２４２内に洗浄水の迂回流路を形成する迂回流路タイプの遅延流路である。このような構造により、遅延流路２２８は、分流部２６のガイド部３２に沿って流入された洗浄水を、流入されたときよりも後に分流部２６に到達する洗浄水の流れに合流させる。なお、接続部２４６から第１出口２４４ａに至る第１拡張流路２４８ａと、接続部２４６から第２出口２４４ｂに至る第２拡張流路２４８ｂと、が独立して形成される。
【００７７】
つぎに、図１Ａ、図１Ｂ及び図１０を参照し、本発明の第１実施形態による水洗大便器における遅延流路の第２変形例に関係する動作（作用）を説明する。
図１Ａ、図１Ｂ及び図１０を参照して、本発明の第１実施形態による水洗大便器において便器洗浄による排水が行われているときの状態を説明する。なお、図１Ａ、図１Ｂ及び図１０において、汚物Ｃより先行する流速の比較的低い先行洗浄水の流れを矢印Ａ（Ａ０〜Ａ４、Ａ９及びＡ１０）、汚物Ｃを含み且つ主に汚物Ｃの後続側を流れて汚物を押し流す搬送流の流れを矢印Ｂ（Ｂ０〜Ｂ４）で示している。この変形例の動作に関しても、上述した第１実施形態と同一部分には同一符号を付し説明は省略する。
【００７８】
先ず、汚物の流れより先行して流速の比較的低い洗浄水が流れる様子を説明する。
図１Ａに示すように、流速の比較的低い先行洗浄水Ａは、水勢が弱く、矢印Ａ１に示すように、下降管路８ｃの上昇管路８ｂ側の側面８ｅに沿って流下する。さらに、先行洗浄水Ａは、側面８ｅから分流部２６の誘導面３４ｂに沿って滑らかに流下し、矢印Ａ２に示すように、誘導面３４ｂからガイド部３２に沿って遅延流路２２８に向かって導かれる。図１０に示すように、先行洗浄水Ａの少なくとも一部は、矢印Ａ３に示すように、遅延流路２２８の入口４０に流入する。このとき、先行洗浄水Ａは縦流路３４の上昇管路８ｂ側を流下するので、出口２４４に流入することが抑制される。遅延流路２２８に流入した先行洗浄水Ａは、矢印Ａ４に示すように、接続部２４６から拡張流路２４８に向かって流れる。先行洗浄水Ａは、接続部２４６において流れの向きが偏向されるので流速が流入時の流速よりも低下される。
【００７９】
接続部２４６及び拡張流路２４８は迂回流路を形成しているので、先行洗浄水Ａは、拡張流路２４８内を前方に向かって流れた後、後方に向きを変え、矢印Ａ９に示すように、拡張流路２４８の出口２４４に向かって流れる。拡張流路２４８は、縦流路３４に戻るような流路を形成する。先行洗浄水Ａは、矢印Ａ１０に示すように、出口２４４に向かって流れ、出口２４４から縦流路３４に向かって流出する。
【００８０】
次に、汚物を押し流す搬送流について説明する。
図１Ｂに示すように、汚物Ｃ及び搬送流Ｂの主流は、矢印Ｂ１に示すように、下降管路８ｃの上昇管路８ｂと反対側の側壁側に沿って流下する。矢印Ｂ１に示すような汚物Ｃ及び搬送流Ｂの主流は、矢印Ａ１に示すような先行洗浄水Ａより遅いタイミングで流れる。汚物Ｃ及び搬送流Ｂの主流は、矢印Ｂ２に示すように、縦流路３４の側壁３４ａの切欠部３６を通過する。さらに、汚物Ｃ及び搬送流Ｂの主流は、矢印Ｂ３に示すように、縦流路３４内を流下し、遅延流路２２８の底面５０に衝突されること及び遅延流路２２８に流入されることが抑制される。
【００８１】
図１０に示すように、出口２４４から縦流路３４に流出する先行洗浄水Ａは、矢印Ａ１０に示すように、汚物Ｃ及び搬送流Ｂの主流に合流される。遅延流路２２８に流入した先行洗浄水Ａは、出口２４４から縦流路３４に向かって流出するまでに、接続部２４６及び拡張流路２４８の所定距離の迂回流路を通過し、所定時間が経過する。さらに、迂回流路を通過する先行洗浄水Ａは流速が比較的低く、後から流れてくる搬送流Ｂは流速が比較的高い。よって、遅延流路２２８に流入された先行洗浄水Ａは、先行洗浄水Ａが流入されたときよりも後の所定時間経過後の遅延されたタイミングで分流部２６の縦流路３４に到達し且つ縦流路３４を通過している搬送流Ｂに、分流部２６において合流される。よって、遅延流路２２８に流入した先行洗浄水Ａの一部は、搬送流Ｂに転換される。これにより、汚物Ｃの搬送への寄与が少ない先行洗浄水Ａを搬送流Ｂに追加し、矢印Ｂ４に示すように、汚物Ｃの搬送流Ｂの水量を増加させることができ、汚物Ｃを搬送する搬送性能を向上させることができる。矢印Ｂ４は、先行洗浄水Ａが搬送流Ｂに合流し、洗浄水の流量及び体積がともに増加された搬送流Ｂを示している。
【００８２】
次に、図１１を参照して、排水ソケット１６の第３変形例について説明する。
この変形例に関し、上述した第１実施形態と同一部分には同一符号を付し説明は省略する。
上述した第１実施形態においては、排水トラップ管路８と連通し且つ汚物を下流側の建物配管２２に排出させる排水管路である排水ソケット１６は、便器本体２とは別体の樹脂部材である。しかしながら、第１実施形態においては、変形例として、排水管路３１６は、便器本体２と一体に形成された一部材とされていてもよい。一体に形成される便器本体２及び排水管路３１６は、陶器製であるが、樹脂製であってもよい。
【００８３】
図１１に示すように、水洗大便器３０１は、さらに、排水トラップ管路８と連通し且つ汚物を下流側の建物配管２２に排出させる排水ソケット３１６を有している。排水ソケット３１６は、陶器製の部材であり、便器本体２と一体の一部材として形成されている。
排水ソケット３１６は、概ね上流側から下流側の順に、上流側排水管路部２４、分流部２６、遅延流路２８及び、下流側排水管路部３０を備えている。排水トラップ管路８の下降管路８ｃと排水ソケット３１６の上流側排水管路部２４とは一体の部材として接続されているので、排水トラップ管路８の出口８ｄの側面８ｅが、排水ソケット３１６の分流部２６の誘導面３４ｂとほぼ面一に形成されている。
【００８４】
上述した本発明の第１実施形態による水洗大便器１、３０１によれば、洗浄時に、分流部２６のガイド部３２が、汚物より先行する流速の低い洗浄水の少なくとも一部を遅延流路２８、１２８、２２８に流入させ、遅延流路２８、１２８、２２８が、流入された洗浄水を流入されたときよりも後のタイミングで分流部２６に到達する汚物を押し流す搬送流に合流させる。これにより、汚物を押し流す搬送流の水量を増加させることができ、汚物を搬送する搬送性能を向上させることができる。
また、本発明によれば、汚物を搬送する流速の高い搬送流の少なくとも一部を遅延流路２８、１２８、２２８に向けて沿わせないように下流側排水管路部３０、１３０に導き、搬送流を遅延流路２８、１２８、２２８に流入しにくくすることができるとともに、汚物より先行する流速の低い洗浄水を選択的に遅延流路２８、１２８、２２８に流入させることができる。
【００８５】
また、本実施形態による水洗大便器１によれば、便器洗浄時に、汚物より先行する流速の低い洗浄水は、比較的弱い水勢により、縦流路３４のうち排水トラップ管路８の上昇管路８ｂ側を流下する。一方、便器洗浄時に、汚物を搬送する流速の高い搬送流が排水トラップ管路８の上昇管路８ｂから下降管路８ｃ及び分流部２６の縦流路３４に流入する際に、このような流速の高い搬送流は、比較的強い水勢により、縦流路３４の側壁３４ａのうち排水トラップ管路８の上昇管路８ｂ側と反対側の側壁３４ａ側を流下する。よって、本発明によれば、汚物を搬送する搬送流を遅延流路２８、１２８、２２８に流入しにくくすることができるとともに、汚物より先行する流速の低い洗浄水を選択的に遅延流路２８、１２８、２２８に流入させることができる。従って、本発明によれば、汚物より先行する流速の低い洗浄水を、より効率よく遅延流路２８、１２８、２２８に流入させ汚物を搬送する搬送流に合流させることができる。
【００８６】
さらに、本実施形態による水洗大便器１によれば、分流部２６のガイド部３２が、鉛直線Ｚに対して９０度以上の角度を形成する場合に比べて、分流部２６のガイド部３２と、縦流路３４との間の方向の変化が少なくされている。よって、本発明によれば、洗浄水をガイド部３２からより剥離し難くすることができ、洗浄水をさらに効率よく遅延流路２８、１２８、２２８に導くことができる。
【００８７】
さらに、本実施形態による水洗大便器１によれば、分流部２６のガイド部３２は、縦流路３４を形成する側壁３４ａのうち排水トラップ管路８の上昇管路８ｂ側に形成され、且つその上昇管路８ｂと反対側の側壁３４ａ側に切欠部３６を形成するので、汚物を搬送する流速の高い洗浄水が切欠部３６を通過し、ガイド部３２から遅延流路２８、１２８、２２８に流入しないようにすることができる。
【００８８】
さらに、本実施形態による水洗大便器１によれば、分流部２６のガイド部３２と縦流路３４を形成する側壁３４ａとの接続部分は湾曲面を形成しているので、ガイド部３２と側壁３４ａとの接続部分において流れを剥離し難くすることができる。よって、本発明によれば、遅延流路２８、１２８、２２８に流入させる洗浄水の水量をより増加させることができ、汚物を押し流す搬送流に合流させる洗浄水の水量をより増加させることができる。
【００８９】
さらに、本実施形態による水洗大便器１によれば、分流部２６のガイド部３２から剥離して落下した洗浄水を遅延流路２８、１２８、２２８の底面５０により遅延流路２８、１２８、２２８内に受け入れることができる。よって、本発明によれば、遅延流路２８、１２８、２２８に流入させる洗浄水の水量をより増加させることができ、汚物を押し流す搬送流に合流させる洗浄水の水量をより増加させることができる。
【００９０】
さらに、本実施形態による水洗大便器１によれば、分流部２６の縦流路３４を流下する汚物を搬送する流速の高い洗浄水を、遅延流路２８、１２８、２２８の底面５０により、遅延流路２８、１２８、２２８に流入させてしまうことを抑制することができる。よって、本発明によれば、汚物を搬送する搬送流の運動エネルギーの低下を抑制することができる。
【００９１】
さらに、本実施形態による水洗大便器１によれば、誘導面３４ｂが縦流路３４の上端からガイド部３２の上端までほぼ鉛直方向に延び、流速の低い洗浄水を誘導面３４ｂに沿ってガイド部３２まで導くことができるため、ガイド部３２に沿うように遅延流路２８、１２８、２２８に流入する洗浄水の水量をより増加させることができる。
【００９２】
さらに、本実施形態による水洗大便器１によれば、排水ソケット１６は、便器本体２とは別体の樹脂部材であるので、下流側の建物配管の位置に応じて位置の微調整を行うことが容易にできる。
【００９３】
さらに、本実施形態による水洗大便器１によれば、排水トラップ管路８の出口８ｄの側面８ｅが、排水ソケット１６の分流部２６の誘導面３４ｂとほぼ面一に形成されている。これにより、本発明によれば、排水ソケット１６と排水トラップ管路８とを別体の部材とした場合であっても、誘導面３４ｂに流速の低い洗浄水を確実に沿わせることができるため、誘導面３４ｂからガイド部３２を介して遅延流路２８、１２８、２２８に流入する流速の低い洗浄水の水量をより増加させることができる。
【００９４】
つぎに、図１２乃至図１４を参照して、本発明の第２実施形態による水洗大便器４０１を説明する。
本実施形態に関し、上述した本発明の第１実施形態による水洗大便器１の部分と同一の部分については同一の符号を付し、それらの説明は省略する。
【００９５】
本発明の第２実施形態による水洗大便器４０１においては、本発明の第１実施形態による水洗大便器１における鉛直方向に延びる分流部２６の前側にガイド部３２及び遅延流路２８が配置されている構造とは異なり、横方向に延びる分流部４２６の左右方向側方側にガイド部４３２及び遅延流路４２８が配置されている形態となっている。
【００９６】
水洗大便器４０１は、さらに、排水トラップ管路８と連通し且つ汚物を下流側の建物配管２２に排出させる排水ソケット４１６を有している。
排水ソケット４１６は、概ね上流側から下流側の順に、上流側排水管路部４２４、分流部４２６、遅延流路４２８及び、下流側排水管路部４３０を備えている。排水ソケット４１６は、便器本体２とは別体の樹脂部材である。
【００９７】
上流側排水管路部４２４は、その上流側端部において排水トラップ管路８の下降管路８ｃの出口８ｄに接続され、この出口８ｄとほぼ平行且つ鉛直方向下方に延びる。上流側排水管路部４２４は、下降管路８ｃの出口８ｄの外側上方から下方の屈曲部４２４ａまで延びている。
【００９８】
下流側排水管路部４３０は、横方向に延びる分流部４２６の下流側に設けられる。下流側排水管路部４３０は、流路の屈曲部４３０ａから鉛直方向下方に延びる。下流側排水管路部４３０の下流側端部は、便器本体２が配置されている床Ｆの下方に配置される建物配管２２（図１Ａ参照）に接続されている。
【００９９】
分流部４２６は、上流側排水管路部４２４の下流側に設けられる。分流部４２６は、上流側排水管路部４２４と下流側排水管路部４３０との間の横方向に延びる直線状の流路である。分流部４２６は、排水トラップ管路８から供給される流速の比較的低い洗浄水の少なくとも一部を自身に沿わせて遅延流路４２８内に導くガイド部４３２を備える。分流部４２６は、さらに、ガイド部４３２の内側において分流部４２６の上端から下端までほぼ横方向に延びる横方向流路４３４を備える。
【０１００】
分流部４２６のガイド部４３２は、横方向流路４３４の左右両側の側壁４３４ａに形成されると共に、横方向流路４３４と遅延流路４２８との間に形成されている。ガイド部４３２は、横方向流路４３４の側方に配置される。ガイド部４３２は、その上流側端から下流側に流路を拡げるように延びている。ガイド部４３２の下流側端が遅延流路４２８内に向かうように形成されている。ガイド部４３２は、横方向流路４３４に沿う仮想線Ｚ２（又は横方向流路４３４の中心軸線）に対して鋭角の角度α２を形成する。角度α２は、５度〜６０度の範囲、より好ましくは５度〜４５度の範囲、より好ましくは３０度に形成されている。ガイド部４３２の下流側端と遅延流路４２８の入口４４０の下流側面４５０との間には、流入開口が形成される。
【０１０１】
図１４に示すように、ガイド部４３２は、横方向流路４３４の側壁のうち左右両側の部分に形成されている。ガイド部４３２は、横方向流路４３４の側壁の全周のうち概ね半周以上の部分に形成されている。
【０１０２】
図１３に示すように、分流部４２６のガイド部４３２と横方向流路４３４の側壁４３４ａとの接続部分４３８は滑らかに湾曲した湾曲面を形成している。分流部４２６の横方向流路４３４の側壁４３４ａには、ガイド部４３２の上流側端までほぼ横方向に直線的に延びる誘導面４３４ｂが形成されている。
【０１０３】
図１２乃至図１４に示すように、遅延流路４２８は、分流部４２６から左右両側に分岐された流路を形成する。遅延流路４２８は、側方領域Ｅにおいて流路を形成している。遅延流路４２８は、ガイド部４３２の側方に配置される。遅延流路４２８は、便器本体２の左右方向の中心軸線に対して左右対称に形成されている。遅延流路４２８は、分流部４２６に対して左右両側に配置されているが、分流部４２６に対して左右一方に配置されていてもよい。
【０１０４】
遅延流路４２８は、分流部４２６と接続する接続部４４６と、接続部４４６から側方領域Ｅ側に延びる拡張流路４４８と、を備えている。
【０１０５】
接続部４４６は、ガイド部４３２に沿って流入した洗浄水を受け入れる入口４４０を備え、この入口４４０は、接続部４４６内に流入した洗浄水を流出させる出口４４４としても機能する。接続部４４６は、入口４４０から流入した洗浄水を内部で流し、一時的に滞在させられる貯留室として機能する。さらに、入口４４０は、ガイド部４３２の下流側且つ外側に位置している。入口４４０は、分流部４２６の横方向流路４３４の側方側に位置し、横方向流路４３４の左右両側の下半分程度を含むような開口を形成している。遅延流路４２８は、入口４４０と出口４４４とを共通とし洗浄水が遅延流路４２８内で流れながら一時的に滞在させる貯留タイプの遅延流路である。さらに、接続部４４６は、分流部４２６から流入した洗浄水の流れ方向を側方側の側方領域Ｅ側に向けて変更させる屈曲流路を形成している。接続部４４６は、屈曲流路を形成しているので、内部を流れる洗浄水の流速を減速させる。接続部４４６は、洗浄水を内部に流すことにより、この洗浄水が排水ソケット４１６を流れるタイミングを当初よりも遅延させることができる。このような構造により、遅延流路４２８は、分流部４２６のガイド部４３２によって流入された洗浄水を、流入されたときよりも後に分流部２６に到達する洗浄水の流れに遅延して合流させる。接続部４４６及び拡張流路４４８の流路の底面は平面状に形成され、わずかに入口４４０に向かって下り勾配を形成している。
【０１０６】
拡張流路４４８は、中央領域Ｄの側方のうち一方側及び他方側の側方領域Ｅに設けられている。拡張流路４４８は、中央領域Ｄの側方のうち一方側又は他方側の側方領域Ｅにのみ設けられていてもよい。本実施形態において拡張流路４４８は側方領域Ｅ内にのみ設けられているが、拡張流路４４８は中央領域Ｄ及び側方領域Ｅ内に設けられていてもよい。拡張流路４４８は、排水トラップ管路８に沿った方向、すなわち便器本体２の前後方向に延びる。拡張流路４４８は、側面視で、排水トラップ管路８の下降管路８ｃの下方の位置から排水トラップ管路８の前方側の位置まで延びている。拡張流路４４８は、遅延流路４２８を側方領域Ｅ内において拡張している。拡張流路４４８は、遅延流路４２８を側方領域Ｅ内のより広い領域に拡げ、遅延流路４２８の底面積をより増加させている。拡張流路４４８が遅延流路４２８の底面積を増加させることにより、流入する洗浄水の流速が低い場合でも、洗浄水が遅延流路４２８の広い領域にわたって流入しやすく、遅延流路４２８の底面積が狭い場合と比べて、より多くの洗浄水を遅延流路４２８へ流入させやすくすることができる。よって、遅延流路４２８を側方領域Ｅに形成し、側方領域Ｅにおいて底面積を増加させることにより、流入する洗浄水の流速によらず、より確実にこの遅延流路内部を流れる洗浄水量を増加させることができる。拡張流路４４８は、洗浄水を一時的に滞在させることができる貯留室としても機能する。拡張流路４４８は、接続部４４６から流入した洗浄水が拡張流路４４８内を接続部４４６に向けて折り返すように流れる中で、流入した洗浄水の流速を減速させるようになっている。
【０１０７】
図１３に示すように、遅延流路４２８の入口４４０の下流側面４５０は、分流部４２６のガイド部４３２の下流側且つガイド部４３２と対向している位置まで、分流部４２６内に突出するように形成される。遅延流路４２８の下流側面４５０の端部４５０ａは、横方向流路４３４の上流側から見た側面視において、横方向流路４３４の外縁より外側に位置している。
【０１０８】
なお、上述した第２実施形態においては、排水トラップ管路８と連通し且つ汚物を下流側の建物配管２２に排出させる排水管路である排水ソケット４１６は、便器本体２とは別体の樹脂部材である。しかしながら、第２実施形態においては、変形例として、排水管路は、便器本体２と一体に形成された一部材とされていてもよい。一体に形成される便器本体２及び排水管路は、陶器製であるが、樹脂製であってもよい。
【０１０９】
つぎに、図１Ａ、図１Ｂ、図１２〜図１４を参照し、本発明の第２実施形態による水洗大便器の動作（作用）を説明する。
図１Ａ、図１Ｂ、図１２〜図１４を参照して、本発明の第２実施形態による水洗大便器において便器洗浄による排水が行われているときの状態を説明する。なお、図１Ａ、図１Ｂ、図１２及び図１３において、汚物Ｃより先行する流速の比較的低い先行洗浄水の流れを矢印Ａ（Ａ０、Ａ１、Ａ１１〜Ａ１７）、主に汚物Ｃの後続側を流れて汚物を押し流す搬送流の流れを矢印Ｂ（Ｂ０、Ｂ１、Ｂ７〜Ｂ１１）で示している。第２実施形態による水洗大便器４０１の便器本体２と、第１実施形態による水洗大便器１の便器本体２とはほぼ同じであるので、水洗大便器４０１の便器本体２内の洗浄水の流れについては、図１Ａ、図１Ｂを参照して主に説明され、上述した本発明の第１実施形態による水洗大便器１の部分と同一の部分については同一の符号を付し、それらの説明は省略する。
【０１１０】
先ず、汚物の流れより先行して流速の比較的低い洗浄水が流れる様子を説明する。
図１Ａに示すように、このような便器洗浄開始時において、矢印Ａ０に示すように、汚物Ｃより先行して流速の比較的低い先行洗浄水Ａが汚物Ｃの先行側を流れる。流速の比較的低い先行洗浄水Ａは、水勢が弱く、矢印Ａ１に示すように、下降管路８ｃの上昇管路８ｂ側の側面８ｅに沿って流下する。
【０１１１】
上流側排水管路部４２４内に流下した先行洗浄水Ａは、図１２において矢印Ａ１１に示すように、下方に向かって流れ、分流部４２６に流入する。分流部４２６に流入した先行洗浄水Ａは、図１３において矢印Ａ１２に示すように、横方向流路４３４内を横方向に流れる。先行洗浄水Ａは、流速が比較的低いので横方向流路４３４内の左右方向に拡散しやすくなっている。先行洗浄水Ａは、横方向流路４３４の側壁４３４ａから誘導面４３４ｂに沿って流れ、矢印Ａ１３に示すように、誘導面４３４ｂからガイド部４３２に沿って遅延流路４２８に向かって導かれる。先行洗浄水Ａは、コアンダ効果によりガイド部４３２に引き寄せられ、流れの方向がガイド部４３２の延びる向きに偏向される。このように、先行洗浄水Ａの少なくとも一部は、矢印Ａ１４に示すように、遅延流路４２８の入口４４０から流入する。接続部４４６内に流入した先行洗浄水Ａは、矢印Ａ１５に示すように、接続部４４６から拡張流路４４８に向かって流れる。先行洗浄水Ａは、接続部４６において流れの向きが偏向されるので流速が流入時の流速よりも低下される。先行洗浄水Ａは、接続部４４６及び拡張流路４４８内を流れることにより、主流路である横方向流路４３４を流れる洗浄水の流れに対して遅延される。先行洗浄水Ａは、接続部４４６及び拡張流路４４８内で一時的に滞留されるように緩やかに流れ、主流に戻る。洗浄開始から時間が経過し遅延流路４２８の入口４４０に流入する洗浄水が少なくなる又はなくなると、接続部４４６及び拡張流路４４８内に流入した先行洗浄水Ａは、矢印Ａ１６に示すように、出口４４４に向かって流れ、出口４４４から横方向流路４３４に向かって流出する。
【０１１２】
次に、汚物を押し流す搬送流について説明する。
図１Ａ及び図１Ｂに示すように、便器洗浄開始時において、導水路６から溜水部１４への洗浄水の落差による流水作用により、汚物を強力に押し流す搬送流Ｂが形成される。
矢印Ｂ０に示すように、汚物Ｃを押し流すように作用する搬送流Ｂは汚物Ｃの周囲及び主に汚物Ｃの後続側を流れる。汚物Ｃ及び搬送流Ｂの主流は、矢印Ｂ１に示すように、下降管路８ｃのうち上昇管路８ｂと反対側の側壁側に沿って流下する。矢印Ｂ１に示すような汚物Ｃ及び搬送流Ｂの主流は、矢印Ａ１に示すような先行洗浄水Ａより遅いタイミングで流れる。上流側排水管路部４２４内に流下した汚物Ｃ及び搬送流Ｂの主流は、図１２において矢印Ｂ７に示すように、下方に向かって流れ、分流部４２６に流入する。分流部４２６に流入した汚物Ｃ及び搬送流Ｂの主流は、図１３において矢印Ｂ８に示すように、横方向流路４３４内を横方向に流れる。汚物Ｃ及び搬送流Ｂの主流は、流速が比較的高いので横方向流路４３４内の左右方向に広がりにくく、横方向流路４３４をほぼ直進するように流れる。よって、汚物Ｃ及び搬送流Ｂの主流は、矢印Ｂ９に示すように、ガイド部４３２に沿って遅延流路４２８に向かって導かれにくく直進する。また、汚物Ｃ及び搬送流Ｂの主流は、矢印Ｂ９に示すような流れにおいて、横方向流路４３４の下部の切欠部４３６を通過する。さらに、汚物Ｃ及び搬送流Ｂの主流は、矢印Ｂ１０に示すように、横方向流路４３４内を流下し、遅延流路４２８の入口４４０の下流側面４５０に衝突されること及び遅延流路４２８に流入されることが抑制される。
【０１１３】
流速の比較的低い先行洗浄水Ａは、流れてくる先行洗浄水Ａの流量のうち比較的多くの割合の洗浄水がガイド部４３２に沿って遅延流路４２８に導かれる。これに対し、流速が比較的高い搬送流Ｂは、流れてくる搬送流Ｂの流量のうち比較的少ない割合の洗浄水がガイド部４３２に沿って遅延流路４２８に導かれる。よって、先行洗浄水Ａのうちガイド部４３２に沿って遅延流路４２８に導かれる先行洗浄水Ａの割合は、搬送流Ｂのうちガイド部４３２に沿って遅延流路４２８に導かれる搬送流Ｂの割合よりも大きくなっている。なお、搬送流Ｂのうちガイド部４３２に沿って遅延流路４２８に導かれる搬送流Ｂの割合は、０％以上の割合となっている。
【０１１４】
出口４４４から横方向流路４３４に流出する先行洗浄水Ａは、矢印Ａ１７に示すように、搬送流Ｂに合流される。上述のように接続部４４６内に流入した先行洗浄水Ａが、出口４４４から横方向流路４３４に向かって流出するまでには、遅延流路４２８内を流れている所定時間が経過している。よって、遅延流路４２８の先行洗浄水Ａは、先行洗浄水Ａが遅延流路４２８に流入されたときよりも後の所定時間経過後のタイミングで分流部４２６の横方向流路４３４に到達する搬送流Ｂに合流される。よって、遅延流路４２８に流入した先行洗浄水Ａの一部は、搬送流Ｂに転換される。
これにより、汚物Ｃの搬送への寄与が少ない先行洗浄水Ａを搬送流Ｂに追加し、矢印Ｂ１１に示すように、汚物Ｃの搬送流Ｂの水量を増加させることができ、汚物Ｃを搬送する搬送性能を向上させることができる。矢印Ｂ１１は、先行洗浄水Ａが搬送流Ｂに合流し、洗浄水の流量及び体積がともに増加された搬送流Ｂを示している。
【０１１５】
汚物Ｃ及び搬送流Ｂは、下流側の下流側排水管路部４３０に向かって流れ、建物配管２２内に排水される。
【０１１６】
上述した本発明の第２実施形態による水洗大便器４０１によれば、洗浄時に、分流部４２６のガイド部４３２が、汚物より先行する流速の低い洗浄水を遅延流路４２８に流入させ、遅延流路４２８が、流入された洗浄水を流入されたときよりも後のタイミングで分流部４２６に到達する汚物を押し流す搬送流に合流させる。これにより、汚物を押し流す搬送流の水量を増加させることができ、汚物を搬送する搬送性能を向上させることができる。
また、本発明によれば、汚物を搬送する流速の高い搬送流を遅延流路４２８に向けて沿わせないように下流側排水管路部４３０に導き、搬送流を遅延流路４２８に流入しにくくすることができるとともに、汚物より先行する流速の低い洗浄水を選択的に遅延流路４２８に流入させることができる。
【０１１７】
また、本実施形態による水洗大便器４０１によれば、汚物を搬送する搬送流は、流速が比較的高いため横方向流路４３４内の左右方向に広がりにくく、横方向流路４３４をほぼ直進する。これに対し、汚物より先行する洗浄水は、流速が比較的低いため、横方向流路４３４内の左右方向に拡散しやすくなる。よって、本発明によれば、汚物を搬送する搬送流を遅延流路４２８に流入しにくくすることができるとともに、分流部４２６のガイド部４３２が、汚物より先行する洗浄水を効率よく選択して左右方向に延びる遅延流路４２８に流入させることができる。
【０１１８】
さらに、本実施形態による水洗大便器４０１によれば、分流部４２６のガイド部４３２と横方向流路４３４の側壁４３４ａとの接続部分は湾曲面を形成しているので、ガイド部４３２と横方向流路４３４の側壁４３４ａとの接続部分において流れを剥離し難くすることができる。よって、本発明によれば、遅延流路４２８に流入させる洗浄水の水量をより増加させることができ、汚物を押し流す搬送流に合流させる洗浄水の水量をより増加させることができる。
【０１１９】
さらに、本実施形態による水洗大便器４０１によれば、分流部４２６のガイド部４３２から剥離して下流側に流れる洗浄水を遅延流路４２８の下流側面により遅延流路４２８内に受け入れることができる。よって、本発明によれば、遅延流路４２８に流入させる洗浄水の水量をより増加させることができ、汚物を押し流す搬送流に合流させる洗浄水の水量をより増加させることができる。
【０１２０】
さらに、本実施形態による水洗大便器４０１によれば、分流部４２６の横方向流路４３４を下流側に流れる汚物を搬送する流速の高い洗浄水を、遅延流路４２８の下流側面４５０により、遅延流路４２８に流入させてしまうことを抑制することができる。よって、本発明によれば、汚物を搬送する搬送流の運動エネルギーの低下を抑制することができる。
【０１２１】
さらに、本実施形態による水洗大便器４０１によれば、排水ソケット４１６は、排水トラップ管路８とは別体の樹脂部材であるので、下流側の建物配管の位置に応じて位置の微調整を行うことが容易にできる。
【０１２２】
つぎに、図１５乃至図１７を参照して、本発明の第３実施形態による水洗大便器５０１を説明する。
本実施形態に関し、上述した本発明の第１実施形態による水洗大便器１の部分と同一の部分については同一の符号を付し、それらの説明は省略する。
【０１２３】
本発明の第３実施形態による水洗大便器５０１においては、鉛直方向に延びる分流部２６の前側に遅延流路２８が配置されている上述した本発明の第１実施形態による水洗大便器１とは異なり、横方向に延びる下流側排水管路部５３０内に遅延流路５２８が形成されている形態となっている。
【０１２４】
水洗大便器５０１は、排水トラップ管路８と連通し且つ汚物を下流側の建物配管２２に排出させる排水ソケット５１６を有している。
排水ソケット５１６は、概ね上流側から下流側の順に、上流側排水管路部５２４、分流部５２６、遅延流路５２８及び、下流側排水管路部５３０を備えている。排水ソケット５１６は、便器本体２とは別体の樹脂部材である。
【０１２５】
上流側排水管路部５２４は、その上流側端部において排水トラップ管路８の下降管路８ｃの出口８ｄに接続され、この出口８ｄとほぼ平行且つ鉛直方向下方に延びる。上流側排水管路部５２４は、下降管路８ｃの出口８ｄの外側上方からこの出口８ｄの下方部分まで延びている。
【０１２６】
下流側排水管路部５３０は、分流部５２６の下流側に設けられる。下流側排水管路部５３０は、分流部５２６の下部から建物配管２２の位置まで横方向に直線状に延びる横方向流路を形成する。下流側排水管路部５３０の下流側端部は、便器本体２が配置されている床Ｆの下方に配置される建物配管２２に接続されている。
【０１２７】
分流部５２６は、上流側排水管路部５２４の下流側に設けられる。分流部５２６は、上流側排水管路部５２４と下流側排水管路部５３０との間の屈曲部分の上部に形成されている。分流部５２６は、排水トラップ管路８から供給される流速の比較的低い洗浄水の少なくとも一部を自身に沿わせて遅延流路５２８内に導くガイド部５３２を備える。分流部５２６は、さらに、ガイド部５３２の内側において分流部５２６の上端から下端までほぼ鉛直方向に延びる縦流路５３４を備える。
【０１２８】
分流部５２６のガイド部５３２は、縦流路５３４の側壁５３４ａのうち排水トラップ管路８の上昇管路８ｂ側に形成されると共に、分流部５２６の縦流路５３４と遅延流路５２８との間に形成されている。ガイド部５３２は、縦流路５３４の前側に配置される。ガイド部５３２は、その上端から斜め下方に延びるような曲面を形成し、その下端が遅延流路５２８内に向かうように広がって形成されている。ガイド部５３２は、鉛直線Ｚに対して鋭角の角度α３を形成する。角度α３は、５度〜６０度の範囲、より好ましくは５度〜４５度の範囲、より好ましくは３０度に形成されている。ガイド部５３２の下端と遅延流路５２８の底面５５０との間には、流入開口が形成される。
【０１２９】
図１６に示すように、ガイド部５３２は、縦流路５３４の側壁５３４ａのうち排水トラップ管路８の上昇管路８ｂ側に形成され、且つ縦流路５３４内においてその上昇管路８ｂと反対側の側壁５３４ａ側にガイド部５３２の一端と他端との間の切欠部として切欠部５３６を形成する。ガイド部５３２は、縦流路５３４の側壁５３４ａの全周のうち概ね半周部分に形成されている。切欠部５３６は、上昇管路８ｂと反対側の側壁５３４ａ側にガイド部５３２が省略されていることにより形成されている。図１６において、切欠部５３６は、概略的に仮想線により示されている。切欠部５３６の領域においては、ガイド部５３２は、形成されていないので、汚物を搬送する流速の高い洗浄水がガイド部５３２に衝突することが抑制され、比較的強い水勢を維持したまま、縦流路５３４の側壁５３４ａのうち切欠部５３６の領域を流下する。
【０１３０】
図１６に示すように、分流部５２６のガイド部５３２と縦流路５３４の側壁５３４ａとの接続部分５３８は滑らかに湾曲した湾曲面を形成している。分流部５２６の縦流路５３４の側壁５３４ａには、ガイド部５３２の上端までほぼ鉛直方向に延びる誘導面５３４ｂが形成されている。
【０１３１】
遅延流路５２８は、分流部５２６から分岐された流路を形成する。遅延流路５２８は、汚物より先行して分流部５２６から流入された洗浄水を、流入されたときよりも後に分流部５２６に到達する洗浄水の流れに合流させるようになっている。遅延流路５２８は、ガイド部５３２の前側に配置される。遅延流路５２８は、便器本体２の前後方向の中心軸線に対して左右対称に形成されている。
【０１３２】
遅延流路５２８は、分流部５２６と接続する接続部５４６と、接続部５４６から前方側に延びる拡張流路５４８と、を備えている。
【０１３３】
接続部５４６は、分流部５２６の上昇管路８ｂ側に接続される。接続部５４６は、ガイド部５３２に沿って流入した洗浄水を受け入れる入口５４０を備え、この入口５４０は、接続部５４６内に流入した洗浄水を流出させる出口５４４としても機能する。さらに、接続部５４６は、入口５４０から流入した洗浄水を出口５４４から流出するまで内部で流し一時的に滞在させる貯留室としても機能する。接続部５４６の入口５４０は、ガイド部５３２の下方且つ外側に位置している。入口５４０は、分流部５２６の上昇管路８ｂ側の半周程度を含むような開口を形成している。遅延流路５２８は、入口５４０と出口５４４とを共通とし洗浄水が遅延流路５２８内で流れながら一時的に滞在する貯留タイプの遅延流路である。接続部５４６は、入口５４０から鉛直方向に対して横方向に延びる流路を形成しているので、内部を流れる洗浄水の流速を減速させる。接続部５４６は、洗浄水を内部に流すことにより、この洗浄水が排水ソケット５１６を流れるタイミングを当初よりも遅延させることができる。このような構造により、遅延流路５２８は、分流部５２６のガイド部５３２によって流入された洗浄水を、流入されたときよりも後に分流部５２６に到達する洗浄水の流れに遅延して合流させる。
【０１３４】
拡張流路５４８は、中央領域Ｄ内に設けられている。拡張流路５４８は、排水トラップ管路８に沿った方向、すなわち便器本体２の前後方向に延びる。拡張流路５４８は、下流側排水管路部５３０の上部且つ内部において所定距離の長さにわたり形成されている。よって、拡張流路５４８は、側面視で、排水トラップ管路８の下降管路８ｃの下方の位置から排水トラップ管路８の前部の位置まで延びている。接続部５４６及び拡張流路５４８は、下流側排水管路部５３０と区切られた空間を形成している。拡張流路５４８は、遅延流路５２８を中央領域Ｄ内において拡張している。拡張流路５４８は、遅延流路５２８の底面積をより増加させている。拡張流路５４８が遅延流路５２８の底面積を増加させることにより、流入する洗浄水の流速が低い場合でも、洗浄水が遅延流路５２８の広い領域にわたって流入しやすく、遅延流路５２８の底面積が狭い場合と比べて、より多くの洗浄水を遅延流路へ流入させやすくすることができる。拡張流路５４８は、洗浄水を一時的に滞在させることができる貯留室としても機能する。拡張流路５４８は、接続部５４６から流入した洗浄水が拡張流路５４８内を接続部５４６に向けて折り返すように流れるため、流入した洗浄水の流速を減速させるようになっている。
【０１３５】
図１６に示すように、遅延流路５２８の底面５５０は、分流部５２６のガイド部５３２の下方且つガイド部５３２と対向している位置まで、分流部５２６内に突出するように形成される。遅延流路５２８の底面５５０の端部５５０ａが、上面視において、縦流路５３４の外縁より外側に位置している。遅延流路５２８の底面５５０は、接続部５４６及び拡張流路５４８において入口５４０に向かってわずかに傾斜して形成される。よって、流入する洗浄水の流速を減速させるとともに遅延流路５２８内の残水を入口５４０に向かって排水することができる。
【０１３６】
つぎに、図１５乃至図１７を参照し、本発明の第３実施形態による水洗大便器の動作（作用）を説明する。
図１５乃至図１７を参照して、本発明の第３実施形態による水洗大便器において便器洗浄による排水が行われているときの状態を説明する。なお、図１Ａ、図１Ｂ及び図１６において、汚物Ｃより先行する流速の比較的低い先行洗浄水の流れを矢印Ａ（Ａ０、Ａ１、Ａ１８〜Ａ２３）、主に汚物Ｃの後続側を流れて汚物を押し流す搬送流の流れを矢印Ｂ（Ｂ０〜Ｂ３、Ｂ１２）で示している。第３実施形態による水洗大便器５０１の便器本体２と、第１実施形態による水洗大便器１の便器本体２とはほぼ同じであるので、水洗大便器５０１の便器本体２内の洗浄水の流れについては、図１Ａ、図１Ｂを参照して主に説明され、上述した本発明の第１実施形態による水洗大便器１の部分と同一の部分については同一の符号を付し、それらの説明は省略する。
【０１３７】
汚物の流れより先行して流速の比較的低い洗浄水が流れる様子を説明する。
図１Ａに示すように、便器洗浄開始時において、矢印Ａ０に示すように、汚物Ｃより先行して流速の比較的低い先行洗浄水Ａが汚物Ｃの先行側を流れる。流速の比較的低い先行洗浄水Ａは、水勢が弱く、矢印Ａ１に示すように、下降管路８ｃの上昇管路８ｂ側の側面８ｅに沿って流下する。
【０１３８】
図１６に示すように、先行洗浄水Ａは、矢印Ａ１８に示すように、側面８ｅから分流部５２６の縦流路５３４の側壁５３４ａに沿って流下する。さらに、先行洗浄水Ａは、分流部５２６の誘導面５３４ｂに沿って滑らかに流下し、矢印Ａ１９に示すように、誘導面５３４ｂからガイド部５３２に沿って遅延流路５２８に向かって導かれる。先行洗浄水Ａは、コアンダ効果によりガイド部５３２に引き寄せられ、流れの方向がガイド部５３２の延びる向きに偏向される。このように、先行洗浄水Ａの少なくとも一部は、矢印Ａ２０に示すように、遅延流路５２８の接続部５４６の入口５４０に流入する。接続部５４６内に流入した先行洗浄水Ａは、矢印Ａ２１に示すように、接続部５４６から拡張流路５４８に向かって流れる。接続部５４６内に流入した先行洗浄水Ａは、流速が流入時の流速よりも低下される。先行洗浄水Ａは、接続部５４６及び拡張流路５４８内を流れることにより、主流路である縦流路５３４を流れる洗浄水の流れに対して遅延される。先行洗浄水Ａは、接続部４６及び拡張流路５４８内で一時的に滞留されるように緩やかに流れ、主流に戻る。洗浄開始から時間が経過し遅延流路５２８の入口５４０に流入する洗浄水が少なくなる又はなくなると、接続部４６及び拡張流路４８内の先行洗浄水Ａは、矢印Ａ２２に示すように、出口５４４に向かって流れ、出口５４４から縦流路５３４に向かって流出する。
【０１３９】
次に、汚物を押し流す搬送流について説明する。
図１Ａ及び図１Ｂに示すように、便器洗浄開始時において、導水路６から溜水部１４への洗浄水の落差による流水作用により、汚物を強力に押し流す搬送流Ｂが形成される。
矢印Ｂ０に示すように、汚物Ｃを押し流すように作用する搬送流Ｂは汚物Ｃの周囲及び主に汚物Ｃの後続側を流れる。汚物Ｃ及び搬送流Ｂの主流は、矢印Ｂ１に示すように、下降管路８ｃの上昇管路８ｂと反対側の側壁側に沿って流下する。矢印Ｂ１に示すような汚物Ｃ及び搬送流Ｂの主流は、矢印Ａ１に示すような先行洗浄水Ａより遅いタイミングで流れる。
【０１４０】
図１６に示すように、汚物Ｃ及び搬送流Ｂの主流は、矢印Ｂ２に示すように、縦流路５３４の側壁５３４ａのうち上昇管路８ｂと反対側の側壁側の切欠部５３６を通過する。さらに、汚物Ｃ及び搬送流Ｂの主流は、矢印Ｂ３に示すように、縦流路５３４内を流下し、遅延流路５２８の底面５５０に衝突されること及び遅延流路５２８に流入されることが抑制される。
【０１４１】
流速の比較的低い先行洗浄水Ａは、流れてくる先行洗浄水Ａの流量のうち比較的多くの割合の洗浄水がガイド部５３２に沿って遅延流路５２８に導かれる。これに対し、流速が比較的高い搬送流Ｂは、流れてくる搬送流Ｂの流量のうち比較的少ない割合の洗浄水がガイド部５３２に沿って遅延流路５２８に導かれる。よって、先行洗浄水Ａのうちガイド部５３２に沿って遅延流路５２８に導かれる先行洗浄水Ａの割合は、搬送流Ｂのうちガイド部５３２に沿って遅延流路５２８に導かれる搬送流Ｂの割合よりも大きくなっている。なお、搬送流Ｂのうちガイド部５３２に沿って遅延流路５２８に導かれる搬送流Ｂの割合は、０％以上の割合となっている。
【０１４２】
出口５４４から縦流路５３４に流出する先行洗浄水Ａは、矢印Ａ２３に示すように、搬送流Ｂに合流される。上述のように遅延流路５２８内に流入した先行洗浄水Ａが、出口５４４から縦流路５３４に向かって流出するまでには、遅延流路５２８内を流れている所定時間が経過している。よって、先行洗浄水Ａは、先行洗浄水Ａが流入されたときよりも後の所定時間経過後のタイミングで分流部５２６の縦流路５３４に到達する搬送流Ｂに合流される。よって、遅延流路５２８に流入した先行洗浄水Ａの一部は、搬送流Ｂに転換される。
これにより、汚物Ｃの搬送への寄与が少ない先行洗浄水Ａを搬送流Ｂに追加し、矢印Ｂ１２に示すように、汚物Ｃの搬送流Ｂの水量を増加させることができ、汚物Ｃを搬送する搬送性能を向上させることができる。矢印Ｂ１２は、先行洗浄水Ａが搬送流Ｂに合流し、洗浄水の流量及び体積がともに増加された搬送流Ｂを示している。
【０１４３】
汚物Ｃ及び搬送流Ｂは、下流側排水管路部５３０内を下流側に向かって流れ、建物配管２２内に排水される。
【０１４４】
上述した本発明の第３実施形態による水洗大便器５０１によれば、洗浄時に、分流部５２６のガイド部５３２が、汚物より先行する流速の低い洗浄水を遅延流路５２８に流入させ、遅延流路５２８が、流入された洗浄水を流入されたときよりも後のタイミングで分流部５２６に到達する汚物を押し流す搬送流に合流させる。これにより、汚物を押し流す搬送流の水量を増加させることができ、汚物を搬送する搬送性能を向上させることができる。
また、本発明によれば、汚物を搬送する流速の高い搬送流を遅延流路５２８に向けて沿わせないように下流側排水管路部５３０に導き、搬送流を遅延流路５２８に流入しにくくすることができるとともに、汚物より先行する流速の低い洗浄水を選択的に遅延流路５２８に流入させることができる。
なお、第３実施形態による水洗大便器５０１によれば、上述した第１実施形態による水洗大便器１による効果と同様の効果を奏するため、他の効果については説明を省略する。
【０１４５】
本発明を実施するための形態は上記に限定されるものではなく、さらなる他の変形例を適用することができる。便器本体の排水トラップ管路の形状や建物配管の位置が異なる場合にも、本発明の各実施形態の水洗大便器の排水ソケットの分流部及び遅延流路を適用することができる。
図１８Ａは本発明の各実施形態の水洗大便器の排水ソケットの分流部及び遅延流路を適用することができる水洗大便器として、床向きに開口する排水トラップ管路と、壁面から延びる建物配管とを接続する排水ソケットを備えた水洗大便器を示す断面図であり、図１８Ｂは本発明の各実施形態の水洗大便器の排水ソケットの分流部及び遅延流路を適用することができる水洗大便器として、壁向きに開口する排水トラップ管路と、壁面から延びる建物配管とを接続する排水ソケットを備えた水洗大便器を示す断面図であり、図１８Ｃは本発明の各実施形態の水洗大便器の排水ソケットの分流部及び遅延流路を適用することができる水洗大便器として、壁向きに開口する排水トラップ管路と、床面から延びる建物配管とを接続する排水ソケットを備えた水洗大便器を示す断面図である。
【０１４６】
図１８Ａに示すように、便器本体Ｔと建物配管Ｐとを接続する排水ソケット６１６Ａが側面視で略Ｌ字状となる場合がある。
この場合、排水ソケット６１６Ａは、建物配管Ｐと連通し、横方向に延びる横方向領域ａ１と、横方向領域ａ１および鉛直下方に延びる便器本体Ｔの排水トラップ管路出口Ｔｏを連通する略Ｌ字状の屈曲領域ａ２とに分割できる。
一変形例として、このような形状の排水ソケット６１６Ａにおいては、横方向領域ａ１において第２実施形態で説明した分流部４２６及び遅延流路４２８を適用できる。また、別の一変形例として、排水ソケット６１６Ａにおいては、屈曲領域ａ２において、第１実施形態の分流部２６及び遅延流路２８，２２８を適用できる。また、さらに別の一変形例として、排水ソケット６１６Ａにおいては、屈曲領域ａ２において、第３実施形態の分流部５２６及び遅延流路５２８を適用できる。
【０１４７】
図１８Ｂに示すように便器本体Ｔと建物配管Ｐとを接続する排水ソケット６１６Ｂは、建物配管Ｐと横方向に延びる便器本体Ｔの排水トラップ管路出口Ｔｏを連通する横管となる場合がある。
一変形例として、このような形状の排水ソケット６１６Ｂにおいては、横管において第２実施形態で説明した分流部４２６及び遅延流路４２８を適用できる。
【０１４８】
図１８Ｃに示すように便器本体Ｔと建物配管Ｐとを接続する排水ソケット６１６Ｃが側面視で略Ｓ字状となる場合がある。
この場合、排水ソケット６１６Ｃは、水平方向に開口している便器本体Ｔの排水トラップ管路出口Ｔｏと連通した略Ｌ字状の第１屈曲領域ｃ１と、この第１屈曲領域ｃ１と鉛直方向で一端が連通し、他端が水平方向に延びる略Ｌ字状の第２屈曲領域ｃ２と、この第２屈曲領域と連通し、横方向に延びる横方向領域ｃ３と、この横方向領域ｃ３と連通し、鉛直方向に延びる建物配管Ｐと連通した第３屈曲領域ｃ４とに分割できる。
一変形例として、排水ソケット６１６Ｃにおいては、第２屈曲領域ｃ２において、第１実施形態の分流部２６及び遅延流路２８，２２８を適用できる。また、さらに別の一変形例として、排水ソケット６１６Ｃにおいては、第２屈曲領域ｃ２において、第３実施形態の分流部５２６及び遅延流路５２８を適用できる。さらに別の一変形例として、排水ソケット６１６Ｃにおいては、横方向領域ｃ３において第２実施形態で説明した分流部４２６及び遅延流路４２８を適用できる。さらに別の一変形例として、排水ソケット６１６Ｃにおいては、第２屈曲領域ｃ２と第３屈曲領域ｃ４とを接続するように、第１実施形態で説明した分流部２６及び遅延流路１２８を適用できる。
【符号の説明】
【０１４９】
１、３０１、４０１、５０１  水洗大便器
２            便器本体
４            ボウル部
６            導水路
８            排水トラップ管路
８ａ          入口管路
８ｂ          上昇管路
８ｃ          下降管路
８ｄ          出口
８ｅ          側面
１０          リム
１２          リム吐水口
１４          溜水部
１６、３１６、４１６、５１６              排水ソケット
１８          洗浄水タンク装置
１８ａ        入口部
２０          洗浄水タンク
２０ａ        排水口
２２          建物配管
２４、４２４、５２４        上流側排水管路部
２６、４２６、５２６        分流部
２８、１２８、２２８、４２８、５２８      遅延流路
３０、１３０、４３０、５３０              下流側排水管路部
３２、４３２、５３２        ガイド部
３４、５３４  縦流路
３４ａ、４３４ａ、５３４ａ  側壁
３４ｂ、４３４ｂ、５３４ｂ  誘導面
３６、５３６  切欠部
４０、４４０、５４０        入口
４４、１４４、２４４、４４４、５４４      出口
４６、１４６、２４６、４４６、５４６      接続部
４８、１４８、２４８、４４８、５４８      拡張流路
５０、５５０  底面
５０ａ、４５０ａ、５５０ａ  端部
４２４ａ      屈曲部
４３０ａ      屈曲部
４３４        横方向流路
４３８        接続部分
４５０        下流側面
５３８        接続部分
６１６Ａ      排水ソケット
６１６Ｂ      排水ソケット
６１６Ｃ      排水ソケット
Ａ            先行洗浄水
Ｂ            搬送流
Ｃ            汚物
Ｆ            床
Ｐ            建物配管
Ｚ            鉛直線
Ｚ２          仮想線
【図１Ａ】
2018048541.tif 000003
【図１Ｂ】
2018048541.tif 000004
【図２】
2018048541.tif 000005
【図３】
2018048541.tif 000006
【図４】
2018048541.tif 000007
【図５】
2018048541.tif 000008
【図６】
2018048541.tif 000009
【図７】
2018048541.tif 000010
【図８】
2018048541.tif 000011
【図９】
2018048541.tif 000012
【図１０】
2018048541.tif 000013
【図１１】
2018048541.tif 000014
【図１２】
2018048541.tif 000015
【図１３】
2018048541.tif 000016
【図１４】
2018048541.tif 000017
【図１５】
2018048541.tif 000018
【図１６】
2018048541.tif 000019
【図１７】
2018048541.tif 000020
【図１８Ａ】
2018048541.tif 000021
【図１８Ｂ】
2018048541.tif 000022
【図１８Ｃ】
2018048541.tif 000023